(57)【要約】【課題】形状通りに使用者の足に容易に装着可能な靴下を提供する。【解決手段】靴下（１０）には靴下（１０）の着用時に足（１）の裏を覆うのに適した足裏部（１００）がある。更に、靴下（１０）のつま先部（２００）は、靴下（１０）の着用時に足裏部（１００）と共に足（１）のつま先部分を受け止めるのに適している。靴下（１０）は更に靴下（１０）の着用時に足（１）の甲を少なくとも部分的に覆う足背部（３００）を含む。靴下（１０）のかかと部（４００）は靴下（１０）の着用時に足（１）のかかとを覆うのに適している。靴下（１０）は靴下（１０）の着用時に足（１）の足首で開放可能に靴下（１０）を閉じるのに適した足首締付部（６００）を含む。【選択図】図４Ｂ
2020029642.tif 000002
【特許請求の範囲】
【請求項１】
靴下（１０）着用時に足（１）の裏を覆う足裏部（１００）と、
前記靴下（１０）着用時に前記足裏部（１００）と共に前記足（１）のつま先部分を完全に受け止めるつま先部（２００）と、
前記靴下（１０）着用時に少なくとも部分的に前記足（１）の甲を覆う足背部（３００）と、
前記靴下（１０）着用時に前記足（１）のかかとを覆うかかと部（４００）と、
前記靴下（１０）着用時に前記足（１）の足首で前記靴下（１０）を開放可能に固定する足首締付部（６００）と、を備えた靴下（１０）であって、
前記靴下（１０）の前記構成部分（１００、２００、３００、４００、５００、５１０、６００、６１０）のうち少なくとも１つが既製の伸縮材（２０００）からなり、前記伸縮材（２０００）が少なくとも５０％の伸縮性を有する靴下（１０）。
【請求項２】
前記足裏部（１００）と反対側で前記足（１）の甲に沿って延びる足背開口（ＯＲ）により前記足背部（３００）が、前記足背部（３００）の左部と右部（３００ａ、３００ｂ）に分離され、前記足背開口（ＯＲ）は前記足首締付部（６００）により少なくとも部分的に固定されることを特徴とする、請求項１に記載の靴下（１０）。
【請求項３】
前記つま先部（２００）から前記足背部（３００）に至る移行領域において、前記足背開口（ＯＲ）が、足背開口端（Ｅ）から靴下（１０）の折り返し領域（４００ｃ）の終結縁（Ｋ２）に延びることを特徴とする、請求項２に記載の靴下（１０）。
【請求項４】
前記足背開口（ＯＲ）が、スリット又は切り抜きとして形成されることを特徴とする、請求項３に記載の靴下（１０）。
【請求項５】
前記足背開口（ＯＲ）に隣接する前記靴下（１０）の裁断縁部分（Ｋ１）と、折り返し開口（ＯＢ）に隣接する前記靴下（１０）の裁断縁部分（Ｋ２）との間で、前記足首締付部（６００）の領域に、角度（β１）が８０°〜１３０°の範囲の裁断縁角部分を設けることを特徴とする、請求項２〜４のいずれか１項に記載の靴下（１０）。
【請求項６】
靴下（１０）の前記構成部分（１００、２００、３００、４００、５００、５１０、６００、６１０）の少なくとも１つが不織布を含む既製の平坦材料（１０００）からなることを特徴とする、請求項１〜５のいずれか１項に記載の靴下（１０）。
【請求項７】
前記靴下（１０）が使い捨て靴下であることを特徴とする、請求項１〜６のいずれか１項に記載の靴下（１０）。
【請求項８】
前記伸縮材（２０００）は少なくとも１００％の伸縮性を有することを特徴とする、請求項７に記載の靴下（１０）。
【請求項９】
前記伸縮材（２０００）の拡張度が１００％〜３０％であることを特徴とする、請求項７又は８に記載の靴下（１０）。
【請求項１０】
前記伸縮材（２０００）の伸縮方向（ＬＳＴＲＥＴＣＨ）が、前記伸縮材（２０００）の収縮状態において、前記かかと部（４００）の折り返し領域（４００ｃ）の終結縁（Ｋ２）と略平行に延び、前記裁断縁部分（Ｋ４）の法線方向からずれて１０°〜８０°の範囲の角度で前記足裏部（１００）に隣接する裁断縁部分（Ｋ４）と交差することを特徴とする、請求項７〜９のいずれか１項に記載の靴下（１０）。
【請求項１１】
前記伸縮方向（ＬＳＴＲＥＴＣＨ）が前記かかと部（４００）の前記脚領域（４００ｂ）に隣接する裁断縁部分（Ｋ３）を略垂直に横切ることを特徴とする、請求項１０に記載の靴下（１０）。
【請求項１２】
前記伸縮材（２０００）は材料層（１０００）と弾性化手段（１３００）からなる複合構造を含み、前記複合構造が少なくとも伸縮方向（ＬＳＴＲＥＴＣＨ）に沿って伸縮可能なように、前記材料層（１０００）が収縮した前記弾性化手段（１３００）に波打形状で接合されることを特徴とする、請求項７〜１１のいずれか１項に記載の靴下（１０）。
【請求項１３】
前記弾性化手段（１３００）が弾性繊維（１１２０）又は弾性膜（１１３０）を含むことを特徴とする、請求項１２に記載の靴下（１０）。
【請求項１４】
前記靴下（１０）の前記構成部分（１００、２００、３００、４００、５００、５１０、６００、６１０）のうち少なくとも２つが、前記継ぎ目方向に弾性がある継ぎ目（１３５０）に接合されていることを特徴とする、請求項１〜１３のいずれか１項に記載の靴下（１０）。
【請求項１５】
前記靴下（１０）の前記縦方向（Ｌａ）に沿った収縮状態の前記靴下（１０）の寸法（ａ）が前記収縮状態では４０ｃｍ以下であり、前記靴下（１０）の着用時に伸張状態に伸ばされて、前記かかと部（４００）が前記足（１）のかかとを覆い、前記足首締付部（６００）により前記足首に固定されることを特徴とする、請求項１〜１４のいずれか１項に記載の靴下（１０）。
【発明の詳細な説明】
【技術分野】
【０００１】
本発明は、靴下、特に使い捨て靴下、又はブーティ、特に使い捨てブーティ、特に使い捨てブーティ又は靴下、特に足病ケアに関するヘルスケア、化粧品、個人衛生及び衛生産業、運送業、旅館業ならびに社会施設及び／又は医療施設で使用される繊維系材料製の使い捨て靴下、ならびにこのような靴下又はブーティの製造方法に関する。本発明は更に包帯のようなブーティ、包帯靴下、又は包帯靴に関する。
【背景技術】
【０００２】
複数の異なる個人や足の種類を対象とした従来型の靴下又はブーティが使用される病院、老人ホーム、その他施設において、綿やプラスチック製の再使用可能なブーティや靴下を使用する際には、ブーティの衛生、特に無菌状態の確保に多大な努力を要するという課題がある。
このため、使い捨てブーティの使用は環境的な見地からも有意義である。さらに再使用可能なブーティの使用には、その着脱だけでなく、尚努力を要する洗濯への再循環が含まれる。また、靴下には通常滑り止めがあまりないため、靴なしで歩くには従来の靴下の適正は限定的である。
【０００３】
使い捨てブーティは、例えばＤＥ１００ ５２ ８２５ Ｃ２又はＤＥ ２９９ １８ ７４３ Ｕｌから知られている。ここではペーパストッキング、特に柔らかく恒久性、吸収性、弾力性のある紙からなる紙靴下が設けられ、紙靴下は使い捨て１回使用のものである。この商品は一枚の平判紙を裁断したものからなり、更に着用中に足の形状通りに取り付け可能である。ここで、かかと領域及びつま先領域の裁断縁は形状通りに互いに接着され、又は形状通りに互いに縫製又は接着可能である。このように使用者の足が全体に好ましくは折り重なることなく取り囲まれる。
【０００４】
不織布製使い捨てブーティの製造方法がＤＥ １０ ２００８ ０３０ ９４１ Ｂ４から知られており、使い捨てブーティの裁断パターンが示され、その裁断パターンには少なくとも２つの第１裁断パターン縁、２つの第２裁断パターン縁、２つの第３裁断パターン縁がある。
【０００５】
不織布材料は巻物又はシート地として設けられる。シート地はインプリント加工及び／又はエンボス加工される。更に、少なくとも１つの弾性片要素が不織布材料の第３裁断パターン縁に固定され、第３裁断パターン縁が足の開口を画定する。また、マイクロビーズが不織布材料に導入され、次にこのために第１裁断パターン縁と第２裁断パターン縁とが正確に取り付けられる。最後に裁断パターンに基づき不織布材料が適切に打ち抜かれる、又は切り抜かれる。
【０００６】
ＤＥ １０ ２００４ ００５ ５５６ Ｂ４は肌に密着して着用される織物ストッキング、靴下、パンティストッキング、包帯を記載しており、活性物質堆積物が徐々に放出される活性物質層が含まれる。ここで、肌と接する織物内側の所定領域、及び／又は、標示に従い予め設定可能又は周知のツボや経絡等により決定可能であって成分を混成することができるパッドには、ゾルゲル法により製造された有機液体及び／又は油に含有された無機金属酸化物粉末が設けられる。
【先行技術文献】
【特許文献】
【０００７】
【特許文献１】独国特許発明第１００５２８２５号明細書
【特許文献２】独国実用新案第２９９１８７４３号明細書
【特許文献３】独国特許出願公開第１０２００８０３０９４１号明細書
【特許文献４】独国特許出願公開第１０２００４００５５５６号明細書
【発明の概要】
【発明が解決しようとする課題】
【０００８】
本発明は形状通りに使用者の足に容易に装着可能な靴下、特に使い捨て靴下、又は使い捨てブーティ、ならびにその製造方法を提供するという目的に基づくものである。
【課題を解決するための手段】
【０００９】
この目的は独立請求項の主題より解決される。本発明の有利な実施形態やさらなる進歩は従属請求項に記載されている。
【００１０】
このため、本発明によると、靴下又は使い捨てブーティの着用時に足の裏を覆う足裏部と、靴下又は使い捨てブーティの着用時に足裏部と共に足のつま先部分を完全に受け止める又は収容するつま先部と、靴下又は使い捨てブーティの着用時に少なくとも部分的に足の甲を覆う足背部とを具備する靴下、特に使い捨て靴下又は使い捨てブーティが提供される。
【００１１】
一実施形態によると、靴下又は使い捨てブーティの着用時につま先部は足裏部と共に少なくとも部分的に足のつま先部分を受け止めてもよい。一実施形態によると、靴下又は使い捨てブーティは、靴下又は使い捨てブーティの着用時に足のかかとを覆うかかと部を更に含んでもよい。靴下又は使い捨てブーティは、靴下又は使い捨てブーティの着用時に足首又は足の足首領域において、靴下又は使い捨てブーティを開放可能に固定する足首締付部を更に含んでもよい。
【００１２】
特に介護者等の第三者による靴下の着用を容易にするために、足裏部と反対側で足の甲に沿って延びる足背開口により足背部が足背部の第１の左部と第２の右部に分離され、足背開口が少なくとも部分的に足首締付部により固定可能であれば有利である。特に靴下の装着を容易にするためには、足背開口が、つま先部から足背部への移行領域において、つま先部から、特に足背開口端から靴下の折り返し領域の終結縁に、特に折り返し開口に隣接する裁断縁部分に延びれば便利である。靴下の製造を簡略化するためには、足背開口をスリット又は切り抜きとして形成し、靴下の着用時であって、足の甲に固定されていない状態において、スリット又は切り抜きが足の足首領域からつま先部へと延びることができれば有利である。足首締付部により確実に靴下を容易に固定するためには、足背開口に隣接する靴下の裁断縁部分と、折り返し開口に隣接する靴下の裁断縁部分との間の足首締付部の領域に、角度が８０°〜１３０°の範囲の裁断縁角部分を設ければ有利である。低コストな製造のために、特に使い捨て靴下として、靴下の構成要素の少なくとも１つが不織布材料を含む既製の平坦材料で構成されれば有利である。靴下を使用者の足に形状通りに調節させるために、ならびに収縮状態ではサイズが１つのみの靴下を異なる大きさの足に適用するためには、靴下の構成部分の少なくとも１つが既製の伸縮材で構成されれば便利である。ここで、伸縮材は、少なくとも５０％の伸縮性を有するものであれば有利である。ここで伸縮材の拡張度が１００％〜３０％であれば有利である。ここで、伸縮材の収縮状態において、伸縮材の伸縮方向が１方向のみで、かかと部の折り返し領域の終結縁と略平行に延び、裁断縁部分の法線方向からずれて１０°〜８０°の範囲の角度で足裏部に隣接する裁断縁部分と交差すれば有利である。ここで、伸縮方向がかかと部の脚領域に隣接する裁断縁部分と略垂直に交差すれば有利である。伸縮材を簡易に製造するために、伸縮材が材料層と弾性化手段からなる複合構造を含み、当該複合構造が少なくとも伸縮方向に沿って伸縮可能なように、材料層が収縮した弾性化手段に波打形状で接合されれば有利である。ここで、弾性化手段が弾性繊維又は弾性膜を含めば便利である。継ぎ目方向に伸縮させるために、靴下の構成部分の少なくとも２つが、継ぎ目方向に弾性がある継ぎ目に接合されれば有利である。収縮状態ではサイズが１つのみの靴下を異なる大きさの足に適用するために、収縮状態の靴下の靴下縦方向に沿った寸法が収縮状態では４０ｃｍ以下であり、着用時に伸張状態に伸ばされて、かかと部が足のかかとを覆い、足首締付部により足首に固定されるようになれば有利である。
【００１３】
本発明によると、以下の構成要素を含む使い捨てブーティが更に提供される。使い捨てブーティは、使い捨てブーティの着用時に足の裏を覆う足裏部を含む。使い捨てブーティは、使い捨てブーティの着用時に足裏部と共に足のつま先部分を完全に受け止める、又は収容するつま先部を更に含む。使い捨てブーティは、使い捨てブーティの着用時に少なくとも部分的に足の甲を覆う足背部を更に含む。足背部の裁断縁領域が足の甲を斜めに横切って足の足首領域に延びることが可能であると好ましい。使い捨てブーティは、使い捨てブーティの着用時に足のかかとを覆うかかと部を含むことが好ましい。少なくとも足裏部、かかと部、つま先部を一枚の裁断パターンとして形成可能であることが好ましい。使い捨てブーティを簡易に製造するために、足裏部、かかと部、足背部、つま先部を一枚の裁断パターンとして形成すれば有利である。使い捨てブーティを使用者の足にしっかり形状通りに装着可能とするために、着用時に足の甲で使い捨てブーティを開放可能に固定する足背締付部を使い捨てブーティが更に備えれば特に有利である。足背締付部の実施形態によると、足背締付部はフラップ部を含み、フラップ部は足裏部に固定され、フラップ部を開放可能に足背部又は足裏部に固定するボンディング要素を備える。別の実施形態によると、足背締付部は、使い捨てブーティの着用時に少なくとも部分的に足裏部と足背部を取り囲む接着テープを含む。本発明の別の有利な実施形態によると、使い捨てブーティは、使い捨てブーティの着用時に足の足首を開放可能に固定する足首締付部を更に含む。一実施形態によると、足首締付部は少なくともフラップ部を含み、フラップ部はかかと部に固定され、フラップ部を足首締付部又はかかと部に開放可能に固定する接着要素を備える。本発明の別の有利な実施形態によると、足首締付部は少なくとも接着テープを含み、接着テープは使い捨てブーティの着用時に足の足首を少なくとも一度取り囲む。使い捨てブーティを低コストで簡易に製造するために、使い捨てブーティの構成部分の少なくとも２つを接着、縫製、ボンディング、溶接により相互接合すれば有利である。使い捨てブーティを確実に右足又は左足に特にうまく形状通りに調節させるために、使い捨てブーティが形状通りに左足又は右足の両方に装着できるような足裏部、足背部、つま先部であれば特に便利である。ここで、足背部の裁断縁部分が、使い捨てブーティの着用時に足の内側のつま先部分から足の外側の足首部分に延びれば有利である。更に、足裏部が形状通りに足の直立投影を取り囲む形状であれば有利である。使い捨てブーティを特に低コストで大量に製造するために、使い捨てブーティの構成部分の少なくとも１つが不織布、紙、織物等の既製の平坦材料からなれば特に便利である。中間サイズの使用者の足でも形状通りに調節させるために、平坦既製部が裁断面に沿って他の方向よりも伸縮可能又は拡張可能な好ましい方向が平坦既製部にあれば特に便利である。ここで、足裏部の場合、好ましい方向が足の縦方向と平行であれば便利である。更に、かかと部の場合、好ましい方向がかかと部の法線に対し斜めであれば有利である。また、つま先部の場合、好ましい方向が足の縦方向に対し斜め又は略直交であれば特に有利である。看護や病院の分野で使用するために、使い捨てブーティの少なくとも一部がスキンケア又は埋め込み医薬的活性物質であれば特に有利である。本発明によると、以下の工程を含む本発明による使い捨てブーティの製造方法が更に設けられる。まず、一巻き又は積み重ねた平坦材料が設けられる。その後、使い捨てブーティの構成部分を所定の裁断パターンによって平坦材料から分離する。次に、使い捨てブーティの構成部分の所定接合部分に従い構成部分を接合する。使い捨て靴下の構成部分のうち、構成部分として明細書や請求項に導入される構成、特に足裏部、つま先部、足背部、かかと部、足背締付部、足首締付部、ならびにフラップ部は全て含まれなければならない。
【００１４】
本発明によると、以下の構成要素を備えた使い捨てブーティが更に提供される。使い捨てブーティは、使い捨てブーティの着用時に足の裏を覆う足裏部を含む。使い捨てブーティは、使い捨てブーティの着用時に足裏部と共に足のつま先部分を完全に受け止める、又は収容するつま先部を更に含む。使い捨てブーティは、使い捨てブーティの着用時に少なくとも部分的に足の甲を覆う足背部を更に含む。使い捨てブーティは、使い捨てブーティの着用時に足のかかとを覆うかかと部を更に含む。かかと部は挿入物を受け止める受け部を含んでもよい。一実施形態によると、使い捨てブーティの着用時に受け部は足のかかと周囲で足の甲から少なくとも部分的に足の丸くふくらんだ部分に延びる。受け部で足のかかとを囲むことができ有利である。挿入物が圧力保護用材料を含む場合、足、特にかかとを過剰な機械的負荷から保護できる。例えば、挿入物は特に少なくとも部分的に足の甲、足の足首、及び／又は足の側面を覆うシリコンパッド、ゲルパッド、クッション、スポンジ、フォームクッション、綿パッドを含んでもよく、又はこれらであってもよい。更に、支持手段により足の安定性を向上させる挿入物も考えられる。これは足の足首に沿って上向きに受け部が到達すればするほど一層効果的である。また、一種の中敷として裏から足を支える挿入物が考えられる。肌との摩擦を最小限とするために、使い捨てブーティの着用時に足と接する使い捨てブーティの表面領域に低摩擦化材料を含めてもよい。本発明による使い捨てブーティの弾性や張力等の機械的及び／又は幾何学的特性の他に、触覚的「柔らかさ」（つまり縁のない特になめらかなできれいな加工等）は着用者及び／又は足にとって有利である。例えば、低摩擦化材料に低摩擦化基材又は含浸織物又は表面領域の被覆を含めてもよい。足の肌と使い捨てブーティとの間に潤滑効果を生成するために、ローションを含む織物片を設けることができる。織物片は特に少なくとも部分的に足の甲、足の足首、及び／又は足の側面を覆うことができる。（例えば潤滑効果により）皮膚刺激を低減する他に、使い捨てブーティに塗布される活性物質を更に使い捨てブーティに含めもよく、活性物質は摩擦低減、悪臭抑制、抗菌性、静菌性、静真菌性、抗ウイルス性、止血性、痛み緩和作用がある。有利な実施形態によると、使い捨てブーティはかかと部に固定される着用補助部を含む。着用補助部により使い捨てブーティの着脱を容易にすることができる。例えば、かかと部をかかとに被せる及び／又はかかとから取り外すために着用補助部で使い捨てブーティを掴むことができるため、着用補助部は使い捨てブーティの着脱を容易にすることができる。例えば、特に簡略で低コストの実施形態ではかかと部から延びるフラップ、小穴、布切を着用補助部に含めてもよい。
【００１５】
足裏部、かかと部、つま先部、更に足背部を一枚の裁断パターンとして形成可能とすることが好ましい。使い捨てブーティ全体を一枚の裁断パターンとして形成可能とすることが好ましい。一枚の裁断パターンの少なくとも裁断縁角部分の裁断縁角は７０°以上、特に７５°以上、及び／又は９０°以下、特に８５°以下、及び／又は好ましくは約８０°であってもよい。更に、一枚の裁断パターンにはつま先部に対応する領域に半円形のへこみがある。更に、多層材料におむつ材料又は伸縮材を含めてもよい。更に、局在領域又は限定空間領域において、その領域用の特殊機能を設ける局在材料層を多層材料に含めてもよい。更に、足に使い捨てブーティを着用する際に、足の甲で使い捨てブーティを開放可能に固定する足背締付部を設けてもよい。足背締付部は弾性材料を備えてもよい。更に、継ぎ目なしの使い捨てブーティを製造することができる。
【００１６】
このため、本発明によると、形状通りに足を受け止める、又は収容するよう調節される使い捨てブーティが設けられる。ここで、使い捨てブーティの足裏部は平坦既製部として形成され、好ましい実施形態では足裏形状である。更に、使い捨てブーティには足裏部に接合されるかかと部があり、かかと部は足裏部と共にかかとを受け止める袋を形成する。また、使い捨てブーティには足裏部に接合されるつま先部があり、つま先部は足裏部と共につま先を受け止める袋を形成する。使い捨てブーティには更に足背部があり、足背部は足裏部の長手側面に沿って足裏部に接合され、足裏部と共に中足を受け止める袋を形成し、足裏部の長手側面の反対側に開放される。使い捨てブーティには更にかかと部があり、使い捨てブーティの着用時にかかと部は足のかかとを覆う。使い捨てブーティはかかと部、挿入物を受け止める受け部を備えてもよい。受け部を特に袋状に形成することができる。この関係で受け部を袋又はかかと部袋としてもよい。
【００１７】
よって、形状に正確な足裏を備えた使い捨てブーティが形成され、足の前部と後部を受け止める袋が更にかかと領域とつま先領域に形成される。更に、本発明によると、足の一方側に向かって開口し、足の他方側に向かって閉鎖する中足用袋が形成される。
【００１８】
ここで、中足用袋の縁は、つま先領域から足首領域に至る中足袋の開口側から、中足袋の閉鎖側へと斜めに延びる。よって、つま先部分がつま先部袋に容易に挿入可能で、その後、かかと部に形成した袋内へと足を挿入でき、両手順は共にブーティを足の一方から滑らせて行われるため、使い捨てブーティの容易な装着が達成される。本発明による実施形態において、使い捨てブーティを使用者の足にしっかり装着可能とする足背締付部が中足袋の開口側に更に形成される。
【００１９】
以下では例えば図面に基づき本発明をより詳細に説明する。
【図面の簡単な説明】
【００２０】
【図１】図１は本発明の実施形態による使い捨てブーティの概略斜視図を示す。
【図２Ａ】図２Ａは本発明の別の実施形態による開放状態と固定状態の使い捨てブーティの概略斜視図を示す。
【図２Ｂ】図２Ｂは本発明の別の実施形態による開放状態と固定状態の使い捨てブーティの概略斜視図を示す。
【図３Ａ】図３Ａは本発明の別の実施形態による開放状態と固定状態の使い捨てブーティの概略斜視図を示す。
【図３Ｂ】図３Ｂは本発明の別の実施形態による開放状態と固定状態の使い捨てブーティの概略斜視図を示す。
【図４Ａ】図４Ａは本発明の別の実施形態による開放状態と固定状態の使い捨てブーティの概略斜視図を示す。
【図４Ｂ】図４Ｂは本発明の別の実施形態による開放状態と固定状態の使い捨てブーティの概略斜視図を示す。
【図５Ａ】図５Ａは本発明の別の実施形態による開放状態と固定状態の使い捨てブーティの概略斜視図を示す。
【図５Ｂ】図５Ｂは本発明の別の実施形態による開放状態と固定状態の使い捨てブーティの概略斜視図を示す。
【図６Ａ】図６Ａは本発明の別の実施形態による開放状態と固定状態の使い捨てブーティの概略斜視図を示す。
【図６Ｂ】図６Ｂは本発明の別の実施形態による開放状態と固定状態の使い捨てブーティの概略斜視図を示す。
【図７Ａ】図７Ａは本発明の別の実施形態による使い捨てブーティの概略斜視図を示す。
【図７Ｂ】図７Ｂは本発明の別の実施形態による使い捨てブーティの概略斜視図を示す。
【図８】図８は本発明の実施形態による使い捨てブーティの足裏部の既製部を示す。
【図９】図９は本発明の実施形態による使い捨てブーティのつま先部と足背部の一枚の既製部を示す。
【図１０Ａ】図１０Ａは本発明の実施形態による使い捨てブーティのかかと部の既製部を示す。
【図１０Ｂ】図１０Ｂは本発明の実施形態による使い捨てブーティのかかと部と足首締付部の一枚の既製部を示す。
【図１０Ｃ】図１０Ｃは本発明の別の実施形態による使い捨てブーティのかかと部と足首締付部の一枚の既製部を示す。
【図１１Ａ】図１１Ａは本発明の実施形態による使い捨てブーティの足背締付部又は足首締付部の接着テープを示す。
【図１１Ｂ】図１１Ｂは本発明の実施形態による使い捨てブーティの足背締付部のフラップ部を示す。
【図１２】図１２は本発明の実施形態による使い捨てブーティの足裏部、かかと部、足背部、かかと部の一枚の既製部を示す。
【図１３】図１３は本発明の実施形態による一枚の既製部からなる使い捨てブーティにおいて、足の縦方向に関連して平坦既製部の好ましい方向について記載を追加した図１２の一枚の既製部を示す。
【図１４】図１４は本発明の別の実施形態による固定状態の使い捨てブーティの概略斜視図を示す。
【図１５】図１５は本発明の別の実施形態による固定状態の使い捨てブーティの概略斜視図を示す。
【図１６】図１６は本発明の別の実施形態による固定状態の使い捨てブーティの概略斜視図を示す。
【図１７Ａ】図１７Ａは本発明の別の実施形態による固定状態の使い捨てブーティの概略斜視図を示す。
【図１７Ｂ】図１７Ｂは本発明の別の実施形態による固定状態の使い捨てブーティの概略斜視図を示す。
【図１８】図１８は本発明の実施形態による使い捨てブーティの多層材料の概略斜視図を示す。
【図１９】図１９は本発明の別の実施形態による使い捨てブーティの概略斜視図を示す。
【図２０】図２０は本発明の別の実施形態による使い捨てブーティの概略斜視図を示す。
【図２１】図２１は本発明の実施形態による使い捨てブーティの多層材料の概略斜視図を示す。
【図２２Ａ】図２２Ａは本発明の別の実施形態による開放状態と固定状態の使い捨てブーティ、及び関連する裁断パターンの概略斜視図を示す。
【図２２Ｂ】図２２Ｂは本発明の別の実施形態による開放状態と固定状態の使い捨てブーティ、及び関連する裁断パターンの概略斜視図を示す。
【図２２Ｃ】図２２Ｃは本発明の別の実施形態による開放状態と固定状態の使い捨てブーティ、及び関連する裁断パターンの概略斜視図を示す。
【図２３Ａ】図２３Ａは本発明の別の実施形態による開放状態と固定状態の使い捨てブーティ、及び関連する裁断パターンの概略斜視図を示す。
【図２３Ｂ】図２３Ｂは本発明の別の実施形態による開放状態と固定状態の使い捨てブーティ、及び関連する裁断パターンの概略斜視図を示す。
【図２３Ｃ】図２３Ｃは本発明の別の実施形態による開放状態と固定状態の使い捨てブーティ、及び関連する裁断パターンの概略斜視図を示す。
【図２４Ａ】図２４Ａは本発明の別の実施形態による開放状態と固定状態の使い捨てブーティ、及び関連する裁断パターンの概略斜視図を示す。
【図２４Ｂ】図２４Ｂは本発明の別の実施形態による開放状態と固定状態の使い捨てブーティ、及び関連する裁断パターンの概略斜視図を示す。
【図２４Ｃ】図２４Ｃは本発明の別の実施形態による開放状態と固定状態の使い捨てブーティ、及び関連する裁断パターンの概略斜視図を示す。
【図２５Ａ】図２５Ａは本発明の別の実施形態による開放状態と固定状態の使い捨てブーティ、及び関連する裁断パターンの概略斜視図を示す。
【図２５Ｂ】図２５Ｂは本発明の別の実施形態による開放状態と固定状態の使い捨てブーティ、及び関連する裁断パターンの概略斜視図を示す。
【図２５Ｃ】図２５Ｃは本発明の別の実施形態による開放状態と固定状態の使い捨てブーティ、及び関連する裁断パターンの概略斜視図を示す。
【図２６Ａ】図２６Ａは本発明の別の実施形態による開放状態と固定状態の使い捨てブーティ、及び関連する裁断パターンの概略斜視図を示す。
【図２６Ｂ】図２６Ｂは本発明の別の実施形態による開放状態と固定状態の使い捨てブーティ、及び関連する裁断パターンの概略斜視図を示す。
【図２６Ｃ】図２６Ｃは本発明の別の実施形態による開放状態と固定状態の使い捨てブーティ、及び関連する裁断パターンの概略斜視図を示す。
【図２７Ａ】図２７Ａは本発明の別の実施形態による開放状態と固定状態の使い捨てブーティ、及び関連する裁断パターンの概略斜視図を示す。
【図２７Ｂ】図２７Ｂは本発明の別の実施形態による開放状態と固定状態の使い捨てブーティ、及び関連する裁断パターンの概略斜視図を示す。
【図２７Ｃ】図２７Ｃは本発明の別の実施形態による開放状態と固定状態の使い捨てブーティ、及び関連する裁断パターンの概略斜視図を示す。
【図２８Ａ】図２８Ａは本発明の別の実施形態による固定状態の使い捨てブーティ、及び関連する裁断パターンの概略斜視図を示す。
【図２８Ｂ】図２８Ｂは本発明の別の実施形態による固定状態の使い捨てブーティ、及び関連する裁断パターンの概略斜視図を示す。
【図２９Ａ】図２９Ａは本発明の別の実施形態による固定状態の使い捨てブーティ、及び関連する裁断パターンの概略斜視図を示す。
【図２９Ｂ】図２９Ｂは本発明の別の実施形態による固定状態の使い捨てブーティ、及び関連する裁断パターンの概略斜視図を示す。
【図３０Ａ】図３０Ａは本発明の別の実施形態による固定状態の使い捨てブーティ、及び関連する裁断パターンの概略斜視図を示す。
【図３０Ｂ】図３０Ｂは本発明の別の実施形態による固定状態の使い捨てブーティ、及び関連する裁断パターンの概略斜視図を示す。
【図３１Ａ】図３１Ａは本発明の別の実施形態による固定状態の使い捨てブーティ、及び関連する裁断パターンの概略斜視図を示す。
【図３１Ｂ】図３１Ｂは本発明の別の実施形態による固定状態の使い捨てブーティ、及び関連する裁断パターンの概略斜視図を示す。
【図３２Ａ】図３２Ａは本発明のある実施形態による靴下、特に伸縮材を含み得る靴下の収縮状態と伸張状態の裁断パターンの概略図を示す。
【図３２Ｂ】図３２Ｂは本発明のある実施形態による靴下、特に伸縮材を含み得る靴下の収縮状態と伸張状態の裁断パターンの概略図を示す。
【図３３Ａ】図３３Ａは図３２Ａの収縮状態の裁断パターンに基づく本発明のある実施形態による靴下の概略斜視図ならびに側面図を示す。
【図３３Ｂ】図３３Ｂは図３２Ａの収縮状態の裁断パターンに基づく本発明のある実施形態による靴下の概略斜視図ならびに側面図を示す。
【図３３Ｃ】図３３Ｃは図３３Ａによる靴下の伸張状態の概略斜視図を示す。
【図３４Ａ】図３４Ａは本発明の別の実施形態による靴下の概略斜視図を示す。
【図３４Ｂ】図３４Ｂは本発明の別の実施形態による靴下の概略斜視図を示す。
【図３４Ｃ】図３４Ｃは本発明の別の実施形態による靴下の概略斜視図を示す。
【図３４Ｄ】図３４Ｄは本発明の別の実施形態による靴下の概略斜視図を示す。
【図３５Ａ】図３５Ａは折り畳み状態の靴下の上面図を示す。
【図３５Ｂ】図３５Ｂは折り畳み状態の靴下の上面図を示す。
【図３５Ｃ】図３５Ｃは折り畳み状態の靴下の上面図を示す。
【発明を実施するための形態】
【００２１】
図面における様々な図形では互いに対応する構成要素に同じ参照番号を付す。
【００２２】
図１は本発明の実施形態による靴下１０、又は使い捨てブーティ１０の概略斜視図を示す。
【００２３】
使い捨てブーティ１０又は靴下１０、特に使い捨て靴下１０には足裏部１００、つま先部２００、足背部３００がある。形状に正確な状態で足１に装着可能なように使い捨てブーティ１０を製造する。これについて、使い捨てブーティ１０を足１に着用した状態において、足裏部１００が足１の裏を覆う。使い捨てブーティ１０の着用時につま先部２００が足裏部１００と共に足１のつま先部分を完全に受け止める。このため、使い捨てブーティ１０を足１に着用した状態において、足背部３００が少なくとも部分的に足１の甲を覆う。「足背」、「足の土踏まず」、「足の甲」という用語は同義語とみなされる。
【００２４】
図１から分かるように、本発明の一実施形態によると、足背部３００の裁断縁３１０の部分が足１のつま先部分から足１の甲を横切り足１の足首部分まで斜めに延びることができる。このように延びる足背部３００の裁断縁３１０を設けることにより、使い捨てブーティ１０を足１に着用する際に、足１のつま先部分をまず足背部３００の開放側からつま先部２００内へと滑り込ませることができ、足１への使い捨てブーティ１０の装着が容易になる。
【００２５】
図２Ａ、図２Ｂは、本発明の別の実施形態による開放状態と固定状態の使い捨てブーティ１０の概略斜視図を示す。図２Ａ、図２Ｂから分かるように、使い捨てブーティ１０、又は靴下１０、特に使い捨て靴下１０は、足裏部１００、つま先部２００、足背部３００の他に、使い捨てブーティ１０の着用時に足１のかかとを覆うかかと部４００を更に含む。更に、使い捨てブーティ１０又は靴下１０、特に使い捨て靴下１０には足背締付部５００があり、使い捨てブーティ１０を足１に着用した状態において、足背締付部５００が足１の甲で使い捨てブーティ１０を開放可能に固定する。図２Ａ、図２Ｂに示す本発明の実施形態によると、足背締付部５００にはフラップ部５１０があり、フラップ部５１０は足裏部１００に固定され、足背部３００又は足裏部１００にフラップ部５１０を開放可能に固定するためのボンディング要素５１５を備える。
【００２６】
図２Ａから分かるように、上記の裁断縁３１０の部分は足裏部１００の第１長手側面１０１から足裏部１００の第２長手側面１０２に延び、使い捨てブーティ１０のつま先部２００から始まり使い捨てブーティ１０のかかと部４００に至る。本発明の実施形態によると、足裏部１００、足背部３００、つま先部２００により使い捨てブーティが左足又は図示の右足１に形状通りに着用されるようになる。
【００２７】
図２Ａに示す実施形態において、足裏部１００の第１長手側面１０１は足の内側にあり、足裏部１００の第２長手側面１０２は右足１の外側にある。このため、足背部３００の裁断縁３１０の部分は、使い捨てブーティ１０の着用時に、つま先部２００で受け止められる足１のつま先部分から、又は足の内側の、つまり足裏部１００の第１長手側面１０１のつま先部２００から、足１の外側の、つまり足裏部１００の第２長手側面１０２の足１の足首部分へと延びる。このように、足背部３００の裁断縁３１０の部分は足裏部１００の第１長手側面１０１、１０２に沿ってつま先部２００からかかと部４００へと互い違いに延びる。使い捨てブーティ１０を左足に調節する場合、足裏部１００の第１長手側面１０１は左足の内側に対応し、かかと部２００の第２長手側面１０２は左足１の外側に対応する。このため、左右の足に調節される一対の使い捨てブーティ１０を設ける場合、対称的に一致するように形成された２つの使い捨てブーティ１０が設けられる。図２Ａ及び下記図８から更に分かるように、足裏部１００は形状通りに足１の直立投影を取り囲む形状とするのが有利である。
【００２８】
足背締付部５００のフラップ部５１０を足裏部１００に対し足裏部１００の第１長手側面１０１、つまり足１の内側に固定するのが有利である。図２Ａと図２Ｂとを比較から分かるように、使い捨てブーティ１０を足１に着用する際に、まず足１のつま先部分を足の内側から袋状に形成されたつま先部２００内に、又は足裏部１００の第１長手側面１０１からつま先部２００内に滑り込ませる。これは足背部３００が足１の内側に向かって、又は足裏部１０２の長手側面に向かって開放しているため容易になる。更に、足背部３００の裁断縁３１０部分の方向により、足１に使い捨てブーティ１０を装着するのが更に容易になる。これは足１の親指を中心として、足の内側から、又は、足裏部１００の第１長手側面１０１から、つま先部２００内につま先部分を滑り込ませ、次に、足１をつま先部２００で足の内側に向けて、又は、足裏部１００の第１長手側面１０１に向けて、つま先部２００内へと旋回して移動することができるためである。使い捨てブーティを足１のつま先部分に装着した後に足１のかかとをかかと部４００内に挿入する。このため、左足／右足に調節する際に、つまり足の親指が位置する側で足背締付部５００が足裏部１００の足の内側へ固定される。この過程で足背締付部５００が足背部３００の開放領域を締め付け、足背部３００の閉鎖領域に対向する。
【００２９】
つま先部２００と同様にかかと部４００が足１のかかとに対応する袋を形成する。足１の裏は足裏部１００と接するため、使い捨てブーティ１０又は靴下１０、特に使い捨て靴下１０が足背締付部５００により固定される。このため、フラップ部５１０が足１の外側の方向、又は足裏部１００の第２長手側面１０２の方向で足１の甲を横切って移動し、足背部３００の裁断縁３１０の部分を通る。ボンディング要素５１５と足背部３００との接着結合により、又は該当する場合は足裏部１００との接着結合により、使い捨てブーティ１０又は靴下１０、特に使い捨て靴下１０が足背締付部５００により固定される。このため、使い捨てブーティ１０を着用する際に足背締付部５００が足背部３００の裁断縁３１０の上を通るように足背締付部５００が形成される。
【００３０】
図２Ｂから分かるように、本発明による足背締付部５００を設けることによりボンディング要素５１５と足背部３００とを異なる位置で接着結合させる無段調節が可能になるため、特に足１への使い捨てブーティ１０の取り付けや形状通りの装着が可能になる。
【００３１】
図３Ａ、図３Ｂは、本発明の別の実施形態による開放状態と固定状態の使い捨てブーティ１０の概略斜視図を示す。図３Ａ、図３Ｂに示す使い捨てブーティ１０は、フラップ部５１０の代わりに接着テープ５２０が足背締付部５００に含まれる点において、図２Ａ、図２Ｂに示す使い捨てブーティ１０とは実質的に異なり、使い捨てブーティ１０を足１に着用した状態において、接着テープ５２０が足裏部１００と足背部３００とを少なくとも一度取り囲む。「接着テープ」とは、機能的包帯材料の一部と理解され、粗面材、織物材、又はそれ自体にくっつく特性がある。このため、足１への装着状態において使い捨てブーティ１０の中足領域を取り囲むと、接着テープ５２０が中足領域で少なくとも一度使い捨てブーティ１０を取り囲み又は包み込み、その領域で接着テープ５２０がそれ自体にくっつく。
【００３２】
接着テープは、サポート包帯又はテープ包帯としても知られる。接着テープは、例えば治療又は予防目的で装着され、関節の移動を制限する自己接着性圧迫包帯である。このため、テープ包帯は機能的包帯である。よって、接着テープ、サポート包帯、テープ包帯は、例えば筋肉や靭帯の弱った又は損傷した構造を完全に固定することなく保護する固定包帯である。また、不安定性がある場合、サポート包帯を予防として装着し、怪我を防止することができる。更に、接着テープ、サポート包帯、テープ包帯には長手方向に特定の弾性があるため、これに取り囲まれた体の部分に圧力がかけられる。このため、図３Ａ、図３Ｂに示す使い捨てブーティ１０の実施形態において、接着テープ５２０により特に有利に使い捨てブーティ１０又は靴下１０、特に使い捨て靴下１０が形状通りに又はぴったりと足１の中足にフィットされる。接着テープ５２０は、接着効果のないキネシオテープ又は包帯でもよく、中足区分で使い捨てブーティ１０に巻かれた後にクリップにより固定される。
【００３３】
接着テープ５２０の更なる利点として、使い捨てブーティ１０を足１に着用した状態において、接着テープ５２０が足裏部１００を覆うともに、使用者が歩行中に床と接する。この過程で使用者が床敷の上を歩くと、接着テープ５２０の自己接着性又は接着特性が、足１に装着された状態の使い捨てブーティ１０の滑り止めとなる。このように、使い捨てブーティ１０の図３Ａ、図３Ｂの実施形態によると、接着テープ５２０を使用することで特に使い捨てブーティ１０を足１にカスタムフィット装着させると共に、使い捨てブーティ１０で歩行中の滑り止めが達成される。
【００３４】
図４Ａ、図４Ｂは本発明の別の実施形態による開放状態と固定状態の使い捨てブーティ１０の概略斜視図を示す。図４Ａ、図４Ｂに示す使い捨てブーティ１０は、使い捨てブーティ１０又は靴下１０、特に使い捨て靴下１０には更に足首締付部６００がある点で、図２Ａ、図２Ｂに示す使い捨てブーティ１０とは実質的に異なる。使い捨てブーティ１０の装着時に足首締付部６００が、足１の足首で使い捨てブーティ１０を開放可能に固定する。図４Ａ、図４Ｂに示す本発明の実施形態において、足首締付部６００が少なくともフラップ部６１０を取り囲み、フラップ部６１０はかかと部４００に固定され、フラップ部６１０を足首締付部６００又はかかと部４００に開放可能に固定するボンディング要素６１５を備える。例えば滑り止めを形成するために、製造工程において機械により床に面する足裏部１００の側面をシリコンで被覆することができる。これにより、足１の足背領域に巻かれた接着テープ５２０を使用する図３Ａ、図３Ｂの実施形態と同じ効果がもたらされる。
【００３５】
足首締付部６００のボンディング要素６１５、ならびに足背締付部５００のボンディング要素５１５をマジックテープ（登録商標）又は接着片として構成することができる。更に、ボンディング要素５１５、６１５をシリコン締付要素として構成することができる。例えば、スミス・アンド・ネフューという会社のオプサイト・フレキシフィックスをボンディング要素６１５、５１５に用いることができる。
【００３６】
図４Ａ、図４Ｂから分かるように、足１に使い捨てブーティ１０を着用する際に、足背締付部５００がまず固定され、次に足首締付部６００が足１の足首に固定される。足首締付部６００を設けることで、足１に着用する際に使い捨てブーティ１０又は靴下１０、特に使い捨て靴下１０を足１にしっかり着用させることができ、足背締付部５００のみを設ける場合よりも足１から使い捨てブーティ１０が外れるのがより頑丈に防止される。更に、足首締付部６００が形状通りにぴったり足１の足首領域とかかと領域にフィットするため、足１の足首領域から足１のつま先部分に至る足１全体で完全にフィットした使い捨てブーティ１が達成される。使い捨てブーティ１０が足１にタイトにフィットするため、使い捨てブーティ１０により足１の隔離が達成される一方、使い捨てブーティ１０の足１へのタイトフィットにより使い捨てブーティ１０又は靴下１０、特に使い捨て靴下１０が広範囲で足１と直接接するため、使い捨てブーティ１０に組み込んだスキンケア又は医薬的活性物質が足１に浸透可能となる。
【００３７】
図５Ａ、図５Ｂは本発明の別の実施形態による開放状態と固定状態の使い捨てブーティ１０の概略斜視図を示す。図５Ａ、図５Ｂに示す使い捨てブーティ１０は、足首締付部６００が少なくとも接着テープ６２０を具備する点で、図４Ａ、図４Ｂに示す実施形態とは実質的に異なる。使い捨てブーティ１０の着用時に、接着テープ６２０は足１の足首を少なくとも一度囲む。少なくとも１つの足首締付部６００の接着テープ６２０を設けることで、図５Ｂに示すように接着テープ６２０により一方側又は両側から足１の足首領域を巻くことができるため、２つの接着テープ６２０又は１つの接着テープ６２０により足首締付部６００のタイトフィットが達成される。
【００３８】
図６Ａ、図６Ｂは本発明の別の実施形態による開放状態と固定状態の使い捨てブーティ１０の概略斜視図を示す。図６Ａ、図６Ｂに示す使い捨てブーティ１０は、図４Ａ、図４Ｂに示す使い捨てブーティ１０で図示し記載したような足首締付部６００を設けている点で、図３Ａ、図３Ｂに示す使い捨てブーティ１０とは実質的に異なる。図６Ａ、図６Ｂに示す本発明の実施形態により、足１の中足への使い捨てブーティ１０のタイトフィットと同時に滑り止めが達成される一方、他方でボンディング要素６１５と接合したフラップ部６１０により足１の足首領域で使い捨てブーティ１０を素早く固定することができる。
【００３９】
図７Ａ、図７Ｂは本発明の別の実施形態による使い捨てブーティ１０の概略斜視図を示す。図７Ａ、図７Ｂに示す使い捨てブーティ１０は、テープ６２０ａを含む足首締付部６００を設けた点で、図５Ａ、図５Ｂに示す使い捨てブーティ１０とは実質的に異なる。テープ６２０ａは足１の足首と足１の足背とに交互に巻かれることにより足背部分と足首部分の両方に使い捨てブーティ１０を固定する。上記のとおりテープ６２０を接着テープとして形成してもよいが、テープ６２０ａは接着効果のない弾性テープ又は包帯でもよい。この場合、テープ６２０ａはクリップ又は接着剤で固定可能である。接着テープをテープ６２０ａとして使用する場合、歩行中の滑り止めが向上するという利点もある。
【００４０】
以下では本発明による使い捨てブーティ１０の裁断パターンの既製部について説明する。
【００４１】
本発明の実施形態によると、使い捨てブーティ１０の構成部分１００、２００、３００、４００、５００、５１０、６００、６１０のうち少なくとも１つが平坦材料の既製部からなる。平坦材料は、不織布、紙、セルロース繊維の不織布、織物である。
【００４２】
不織布材料は何らかの方法で（繊維層、繊維ウェブの）不織布に正確に取り付けられ、何らかの方法で相互接合された長さに制限のある繊維、無端繊維（フィラメント）、各種又は各由来の切断糸の構造である。一方、繊維とは、レース生産時や房製品製造時の織込中、緯編中、経編中、組編中に糸を織り交ぜる、又は編み合わせることで作られる織物と理解される。更に、ホイルや紙は不織布材料に含まれない。紙は実質的に植物由来繊維からなる平坦材であり、繊維材料懸濁液を脱水してふるうことで形成される。この過程で繊維フェルトが出現し、これが圧縮され乾燥される（ＤＩＮ６７３０）。
【００４３】
但し、使い捨てブーティ１０に使用可能な紙と不織布からなる材料混合物も存在する。
【００４４】
このような材料混合物としては、例えば縮セルロース繊維不織布がある。これは柔らかく吸収性のある紙不織布である。製紙産業ではセルロースは高品質原材料である。漂白パルプは化学的純度の非常に高い要件を満たすことができるため、衛生製品の製造に適している。セルロース繊維不織布は細かく縮められ、一時的に湿潤が強く、非常に吸収性があり、一層又は複層に加工することができる。不織布は裁断、穿孔、エンボス加工が可能である。エンボス加工により表面が大きくなるため、より多くの湿気を紙で吸収することができる。薄葉紙に加工する際に重ね合わせた各種セルロース繊維不織布により吸収力と破壊強度が更に向上する。香油を塗布した衛生製品を設けることができる。トイレットペーパー、おむつ、生理用ナプキン等の高品質衛生製品、ならびに医療用傷口包帯はセルロース繊維不織布からなる。
【００４５】
合成及び／又は天然繊維からなる不織布材料を不織布材料として設けることができる。合成不織布材料又は天然／合成不織布材料混合物は弾性が高い。環境的理由上ほぼ天然繊維のみを不織布材料に含めることができるため、環境的に分解可能となる。例えばモダール繊維又がビスコース繊維を繊維として使用可能である。更に、天然繊維の方が合成繊維よりも吸収力がよい。
【００４６】
不織布材料は概ね柔軟な織物であり、つまりわずかにしなやかで、その主要構造要素は織物繊維であり、長さや幅に比べて比較的厚みが薄い。同様に、織物ではない短繊維として使用される繊維により、又は固化方法により織物というよりは紙、ホイル、繊維増加プラスチックに似た不織布材料が存在する。
【００４７】
使い捨てブーティ１０の平坦既製部として使用するために、病院や老人ホーム用として不織布材料を使用することが好ましい。例えば、患者の上掛けとして既に不織布材料製のものがあり、不織布材料製湿布が広く利用されている。
【００４８】
又、少なくとも第１不織布材料をエンボス加工、又は別の不織布材料と機械的に圧縮することができる。更に、エアレイド方法により不織布材料層又はシートは相互接合できる。同様の、又は異なる不織布材料を少なくとも部分的に重ね合わせて接着することができる。これにより吸収力の他に複合不織布の湿潤強度も向上する。
【００４９】
本発明によると、既製部が対応する少なくとも２つの裁断パターンを並行加工できるように不織布材料を一巻きで、及び／又は積み重ねて設けることができる。例えば、不織布材料は、不織布製造業者により、約２４０ｃｍの幅を有する一巻き、積み重ね等によって供給される。同時に複数の裁断パターンを並行加工することでコストアップすることなく使い捨てブーティ１０の製造数が相当増加する。
【００５０】
更に、使い捨てブーティ１０の構成部分の１つの既製部用の平坦材料として紙を用いることが考えられる。このため、特定の伸縮性又は拡張度を有し、足の肌に優しくそっとフィットする紙が特に適している。例えば吸収性紙タオル、トイレットペーパー等の薄葉紙で用いられるセルロース詰綿が紙材料として好ましい。
【００５１】
本発明の別の実施形態によると、下記の使い捨てブーティ１０の構成部分１００、２００、３００、４００、５００、５１０、６００、６１０の平坦材料からなる既製部を美的理由又は同様の理由でラベル要素と共に設けることができる。１つ以上のロゴや社章等のラベル要素をエンボス加工及び／又はインプリント加工することができ有利である。特にこの工程を、既製部の製造工程の後に行うことができ、複数の裁断パターンを同時に加工することができる。
【００５２】
図８は、本発明の実施形態による使い捨てブーティ１０の裁断パターンの足裏部１００の既製部を示す。図８から分かるように、足裏部１００は形状通りに（図１〜図７に示す）足１の鉛直投影１ａを囲む形状である。図８に示す足裏部１００の実施形態において、足裏部１００の既製部は左足に合わされている。しかし、製造上の理由及びコスト上の理由により足裏部１００を左足・右足兼用とし、これに応じて両足ともに同一に形成することができる。図２Ａ、図２Ｂを参照して既に説明したように、足裏部１００の第１長手側面１０１は、使い捨てブーティ１０が右足又は左足に合わされる際に足の内側に対応する。また、足裏部１００の第２長手側面１０２は、使い捨てブーティ１０が右足又は左足に合わされる際に足の外側に対応する。
【００５３】
足裏部１００の裁断縁１１０には４つの部分がある。第１裁断縁部分１１２は、足裏部１００の第１長手側面１０１の足裏部１００のつま先領域又は前方領域から、足裏部１００の第１長手側面１０１の足裏部１００の中央領域に延びる。このため、図８から分かるように、第１裁断縁部分１１２は、足裏部１００の裁断縁１１０に沿って点Ａから点Ｂに延びる。第２裁断縁部分１１４は、足裏部１００の第１長手側面１０１の中央領域の足裏部１００の裁断縁１１０の点Ｂから、足裏部１００のかかと領域の第１長手側面１０１の裁断縁１１０の点Ｃへ延びる。第３裁断縁部分１１６は、点Ｃから、かかと領域の足裏部１００の第２長手側面１０２に位置する点Ｄに延びる。第４裁断縁部分１１８は、裁断縁１００の点Ｄから、再び第１長手側面１０１の足裏部１００の前方領域又はつま先領域の裁断縁１１０の点Ａに延びる。
【００５４】
図９では、つま先部２００と足背部３００との一枚の共通既製部が示される。つま先部２００と足背部３００とを備えた既製部には、使い捨てブーティ１０を足１に装着した状態の場合、足１の甲を横切って斜めに延びる裁断縁３１０の上記部分が含まれる。この部分は、図９では、裁断縁３１０の点Ａから点Ｅに延びる第１裁断縁部分３１２である。裁断縁３１０の点Ｄに延びる第２裁断縁部分３１４が点Ｅで第１裁断縁区分３１２と接合する。つま先部２００と足背部３００との一枚の既製部の第３裁断縁部分３１６は点Ｂから点Ａに延びる。
【００５５】
図１０Ａ〜１０Ｃで示す既製部の各種実施形態は、かかと部４００用、フラップ部６１０を含む足首締付部６００と組み合わせたかかと部４００用、ならびに接着テープ６２０を含む足首締付部６００を有するかかと部４００用である。
【００５６】
図１０Ａに示すように、かかと部４００用既製部は裁断縁４１０を含み、第１裁断縁部分４１２は点Ｃから点Ｄに延び、第２裁断縁部分４１４は点Ｄから点Ｅに延び、第３裁断縁部分４１６は点Ｅから点Ｃに延びる。第３裁断縁部分４１６を２つの部分４１６ａ、４１６ｂに任意分割することができ、部分４１６ａはかかと部４００の裁断縁４１０において点Ｅから点Ｆに延び、第２部分４１６ｂは点Ｆから点Ｃに延びる。
【００５７】
図１０Ｂに示すように、フラップ部６１０とボンディング要素６１５を備えた足首締付部６００はかかと部４００に一体的に接合される。かかと部４００と足首締付部６００用既製部の部分には、図１０Ａに示すように裁断縁４１０上に点Ｃ、Ｄ、Ｅ、Ｆがあり、かかと部４００の第１裁断縁部分４１２は、図１０Ａのかかと部４００の場合と同様であり、第２裁断縁部分４１４も図１０Ａのかかと部４００の場合と同様であるが、第３裁断縁部分４１６ａは一体形成されたかかと部４００と足首締付部６００との境界線となる。ここで、第２裁断縁部分４１６ｂは、図１０Ａのかかと部４００の場合と同様である。
【００５８】
かかと部４００と接着テープ６２０が固定される足首締付部６００用の一枚の既製部を図１０Ｃに示す。接着テープ６２０は、接着テープ６２０を有する足首締付部６００の中央部６０１の点Ｇと点Ｈとの間の裁断縁６３０の裁断縁部分６３０ａを介して足首締付部６００の中央部６０１に接合可能である。
【００５９】
足背締付部５００に用いられる接着テープ５２０を図１１Ａに示す。接着テープ５２０の裁断縁部分５２２は接着テープ５２０の一端で点Ａから点Ｂに延びる。
【００６０】
フラップ部５１０とボンディング要素５１５を備えた足背締付部５００のプレカット部分を図１１Ｂに示す。足背締付部５００には裁断縁５３０があり、第１裁断縁部分５３２は点Ａから点Ｅに延び、第２裁断縁部分５３４は点Ｅから点Ｆに延び、第３裁断縁部分５３６は点Ｆから再び点Ａに延びる。
【００６１】
図８〜図１１Ｂの検討と図１〜図７Ｂに示す使い捨てブーティ１０の実施形態から分かるように、図１〜図７Ｂの使い捨てブーティ１０は、図８〜図１１Ｂの各種既製部を集めて製造することができる。
【００６２】
例えば、図１に示す使い捨てブーティ１０は図８〜図１０Ａに示す既製部を組み合わせて製造することができる。しかし、この過程で図９と図１０Ａに示す既製部を一枚の既製部として形成することも考えられ、かかと部４００が足裏部１００の点Ｃに平らに移行するように、コーナー点Ｆを経ずにかかと部４００の第３裁断縁部分４１６を点Ｅから点Ｃに延ばすことができる。図１による使い捨てブーティ１０を製造するために、図９に示す足背部３００とつま先部２００とに用いられる一枚の既製部は、まず足背部３００の第３裁断縁部分３１６に沿って、そして足裏部１００の裁断縁１１０の第４裁断縁部分１１８に沿って（足背部３００の裁断縁３１０と足裏部１００の裁断縁１１０の両方の）点Ｄから接合される。ここで、かかと部２００はダーツによりつま先部分用の５形状に正確な形に形成される。足背部３００の裁断縁３１０の第１裁断縁部分３１２は、足の甲を斜めに横切り、又は足裏部１００上で、足裏部１００の第１長手側面１０１のつま先部２００から点Ｄ、つまり足裏部１００の第２長手側面１０２のかかと部４００へと自在に延びる。更に、足背部３００とかかと部４００とを接合させるために、足背部３００の第２裁断縁部分３１４をかかと部４００の第２裁断縁部分４１４に接合できる。
【００６３】
接着、縫製、ボンディング加工、超音波溶接やレーザ溶接等の溶接、例えばこうした方法の組み合わせにより対応する裁断縁部分の接合が可能になる。よって、使い捨てブーティ１０の構成部分のうち少なくとも２つを接着、縫製、ボンディング加工、溶接で接合するのが有利である。各構成部分の裁断縁部分の接合時に、不織布材料を使用する場合は溶接及び／又は接着及び／又はボンディング加工を用いることが好ましい。使用する不織布材料によって方法の選択は変更可能である。縫製を除き、合成不織布材料には溶接が好ましい一方、天然不織布材料には接着及び／又はボンディング加工が好ましい。特に、接着剤を選択的に塗布し、ある程度重ねた共通裁断縁部分に接合できる。この重なりもボンディング方法で必要となる。
【００６４】
図２Ａ、図２Ｂに示す使い捨てブーティ１０の場合、使い捨てブーティ１０の裁断パターンとして図８の足裏部１００の既製部、図９の足背部３００とつま先部２００の一枚の既製部、図１０Ａのかかと部４００の既製部、ならびに図１１Ｂの足背締付部５００の既製部を用いることができる。ここで、縁裁断上の同一参照番号の点の間で延びる、つまり点Ａ、Ｂ、Ｃ、Ｄ、Ｅ、Ｆの間で延びる対応する裁断縁部分を接合する。
【００６５】
図３Ａ、図３Ｂによる使い捨てブーティ１０を製造するために、本発明の一実施形態による図８の足裏部１００の既製部、図９の足背部３００とつま先部２００の一枚の既製部、図１０Ａのかかと部４００の既製部、ならびに本発明の実施形態による図１１Ａの接着テープ５２０の既製部を用いることができ、次に共通点Ａ、Ｂ、Ｃ、Ｄ、Ｅ、Ｆの間で延びる対応する裁断縁部分を相互接合する。
【００６６】
図４Ａ、図４Ｂに示す使い捨てブーティ１０は、一実施形態によると、図８の足裏部１００の既製部、図９の足背部３００とつま先部２００の一枚の既製部、図１０Ｂのかかと部４００と足首締付部６００の一枚の既製部、ならびに図１１Ｂの足背締付部５００の既製部を用いて製造可能で、次に点Ａ、Ｂ、Ｃ、Ｄ、Ｅ、Ｆの間で延びる対応する裁断縁部分を順に相互接合する。
【００６７】
図５Ａ、図５Ｂに示す使い捨てブーティ１０は、本発明の一実施形態によると、図８の足裏部１００の既製部、図９の足背部３００とつま先部２００の一枚の既製部、図１０Ｃのかかと部４００と足首締付部６００の一枚の既製部、ならびに図１１Ｂの足背締付部５００の既製部から製造可能で、次に点Ａ、Ｂ、Ｃ、Ｄ、Ｅ、Ｆの間で延びる対応する裁断縁部分を順に相互接合する。
【００６８】
図６Ａ、図６Ｂに示す使い捨てブーティ１０は、本発明の一実施形態によると、図８の足裏部１００の既製部、図９の足背部３００とつま先部２００の一枚の既製部、図１０Ｂのかかと部４００と足首締付部６００の一枚の既製部、図１１Ａの接着テープ５２０の既製部から製造可能で、点Ａ、Ｂ、Ｃ、Ｄ、Ｅ、Ｆの間で延びる対応する裁断縁部分を順に相互接合する。
【００６９】
本発明の別の実施形態によると、図１２に示すように、足裏部１００、かかと部４００、足背部３００、つま先部２００を一枚の裁断パターンとして形成することもできる。図１２に示す足裏部１００、つま先部２００、足背部３００、かかと部４００の一枚の既製部７００には裁断縁７１０がある。裁断縁７１０の第１裁断縁部分７１２は裁断縁７１０上の点Ｂから点Ａ´に延びる。第１裁断縁部分７１２は、使い捨てブーティ１０の着用時につま先部分から足の甲を斜めに横切り足の足首部分に至る上記足背部３００の裁断縁３１０の部分を形成する。既製部７００には更に裁断縁７１０上の点Ａ´から点Ｉに延びる第２裁断縁部分７１４がある。一枚の既製部７００の点Ｉは足裏部１００の領域に位置し、図８の足裏部１００の既製部の点Ｃに略対応する。第３裁断縁部分７１６は点Ｉから点Ａに延びる。第４裁断縁部分７１８は点Ａから点Ｂに延びる。図１２による既製部７００から使い捨てブーティ１０を作成するために、二点ＡとＡ´を相互接合し、第２裁断縁部分７１４と第３裁断縁部分７１６を点Ｉから始めて点Ａ、Ａ´まで相互接合する。ここで、点Ｂと点Ｉの間の接続線を折り線とすることができる。
【００７０】
図１３は本発明の別の実施形態による足裏部１００、つま先部２００、足背部３００、かかと部４００の一枚の既製部７００を示す。図１３から分かるように、平坦既製／切抜部７００には好ましい方向としてＬＳＴＲＥＴＣＨを設けてもよく、平坦既製／切抜部７００は、既製／切抜部７００の平面又は裁断面に沿って他の方向よりも伸縮可能又は拡張可能である。裁断面とは、対応する裁断縁部分の接合前の平坦材料の表面に平行な平面と理解される。このため、裁断面は対応する裁断パターンのシート高に平行な面である。ここで、平坦既製／切抜部７００の好ましい方向は一方向のみであることが好ましく、これにより平坦不織布材料等の平坦材料の既製／切抜部が、例えば所謂ユニストレッチ材料から形成される。但し、好ましい方向が２方向の平坦既製／切抜部を用いることも可能で、このために所謂バイストレッチ材を使用する。伸縮材の場合、不織布材料の好ましい方向に沿って伸縮とする、又は伸縮性を生成するために、不織布材料でペルロンやナイロン繊維を加工することができる。更に、例えば平坦材料に一定の弾性を与えるためにパンデックスやエラスタン等のエラストマーを織布材料に組み入れ可能である。
【００７１】
不織布、紙、織物の場合、伸縮の他に材料の拡張度が重要である。拡張度とは、どの程度まで材料が伸張後に元の形状に再び戻るのかということである。ドイツ語の「Ｄｅｈｎｂａｒｋｅｉｔ」は本書では英語の「伸縮」に相当し、ドイツ語の「Ｒｕｃｋｓｔｅｌｌｆａｈｉｇｋｅｉｔ（ｕ及びaはウムラウト付）」は英語の「拡張度」に相当する。この過程で伸縮可能で部分的に拡張度がよい材料は興味深い。使い捨て製品を使用に最大限の拡張度、つまり完璧な弾力性は不要である。
【００７２】
このため、材料は伸縮後に完全に元の形状に戻る必要はなく、最初の収縮後に伸縮した形状のままでもよい。よって、拡張度は１００％以下でもよく、１００％の拡張度は完璧な弾力性に相当する。本発明によると、１００％〜３０％、又は１００％〜５０％、又は１００％〜７０％の拡張度が好ましい。伸縮とは切裂等の何らかの破損のない状態で伸張に対する耐性に相当する。伸縮が高いほど材料の伸縮率が上がる。伸縮可能又は拡張可能な不織布材料の製造者としては、例えばＭｉｃｒｅｘ社がよく知られている。
【００７３】
好ましい方向であるＬＳＴＲＥＴＣＨが一方向のみの平坦材料を使用する場合、足裏部１００の場合、好ましい方向であるＬＳＴＲＥＴＣＨが足１の縦方向ＬＳと平行であることが有利である。よって、サイズ差を埋めるために、フリーサイズ用に製造された足裏部１００を縦方向ＬＳで足長がやや大きい足１に調節することができる。更に、かかと部４００の場合、好ましい方向であるＬＳＴＲＥＴＣＨが足裏部１００の法線に対し斜めであれば有利である。足裏部１００の法線とは、足裏部１００の平面の法線と理解される。つまり、足裏部１００、足裏部１００の既製／切抜部が水平面の場合、足裏部１００の法線は鉛直方向と一致する。図１０Ａ〜１０Ｃに示すかかと部４００の実施形態において、好ましい方向であるＬＳＴＲＥＴＣＨをこのように設けることができるため、完成済み使い捨てブーティ１０の場合、つまり対応する裁断縁部分の接合後、好ましい方向であるＬＳＴＲＥＴＣＨは足裏面に平行であり、足１の縦方向ＬＳに垂直である。
【００７４】
更に、本発明の有利な実施形態によると、つま先部２００の場合、好ましい方向であるＬＳＴＲＥＴＣＨは足１の縦方向ＬＳに対し斜め、又は略直交でもよい。ここで、例えばつま先部２００の図９に示す既製／切抜部を、不織布からなる平坦材料の好ましい方向であるＬＳＴＲＥＴＣＨと相対的に配置し、例えば対応する裁断縁部分を足裏部１００に接合後、好ましい方向が足１の縦方向ＬＳに対し斜め又は略直交となるようにすることができる。
【００７５】
本発明の特に好ましい実施形態によると、足裏部１００、つま先部２００、足背部３００、かかと部４００を含む一枚の既製／切抜部７００による対応する裁断縁部分の接合後、使い捨てブーティ１０内で好ましい方向であるＬＳＴＲＥＴＣＨが既に対応して変更されている。図１３から分かるように、図１３に示す既製／切抜部７００による材料の平坦既製／切抜部をこの材料から分離又は抜き打ちするために、一枚の既製／切抜部７００が設けられる。よって、既製／切抜部７００が水平面で平坦な場合、好ましい方向であるＬＳＴＲＥＴＣＨが互いに平行な構成部分１００、２００、３００、４００の全てにある。
【００７６】
第２裁断縁部分７１４と第３裁断縁部分７１６とを点Ｉから点Ａ、Ａ´へと接合することにより、別様に描かれたかかと部４００の縦方向Ｌ´Ｓとつま先部２００のＬ″が示すように、好ましい方向のＬＳＴＲＥＴＣＨが空間内で徐々に回転する。例えば、完成済み使い捨てブーティ１０の場合、かかと部４００の好ましい方向であるＬＳＴＲＥＴＣＨは平面で斜め、つまり足１の縦方向Ｌ´Ｓに対し垂直である。よって、足裏部１００の第１長手側面１０１と第２長手側面１０２との間の領域で足１のかかと領域が拡張可能である。完成済み使い捨てブーティ１０では、つま先部２００の好ましい方向であるＬＳＴＲＥＴＣＨは足１の縦方向Ｌ″Ｓに対し更に垂直で、足裏部１００の平面に対し略平行である。よって、足裏部１００の縦方向ＬＳに対し垂直につま先部２００を拡張することができる。このため、図１３の既製／切抜部７００の具体的実施形態により、使い捨てブーティ１０又は靴下１０、特に使い捨て靴下１０は足裏領域で縦方向に伸縮可能又は拡張可能であり、かかと領域の水平方向に伸縮可能又は拡張可能であり、つま先領域で足裏部１００の縦方向に対し水平、垂直に伸縮可能又は拡張可能である。
【００７７】
本発明の別の実施形態によると、使い捨てブーティ１０、又はブーティの少なくとも１つの構成部分１００、２００、３００、４００、５００、５１０、６００、６１０にはスキンケア又は医薬的活性物質が埋め込まれている。この活性物質には例えばマイクロビーズが含まれる。マイクロビーズを不織布材料に組み入れ可能である。詳しくは、マイクロビーズとして樹脂ビーズ及び／又はゼラチンビーズを用いることができる。マイクロカプセル化により固体及び液体を外包で囲むことができる。こうしたマイクロビーズの直径は８００μｍまでとすることができる。適切なカプセル皮膜としては天然高分子や合成高分子が可能である。機械的安定性、高温耐性、硬皮膜、不織布への簡易応用性があるため樹脂ビーズを用いることが好ましい。
【００７８】
ゼラチンビーズが特に適しているのは皮膚リスクが低く、必要とされる製造温度が低く、凝固に必要とされるボンディング剤の使用が少ないためである。異なるマイクロビーズを用いて長期間に亘り保存物質を連続放出することができる。
【００７９】
マイクロビーズの成分にスキンケア物質及び／又は匂い物質を含めることができる。ここで、各マイクロビーズに異なる成分を充填することができる。同様にマイクロビーズに異なる成分を含めてもよい。例えば、ホホバ油、アロエベラ、オリーブ油、アボカド油、シアバター、ステアリン酸、パンテノール、ビタミンＥ、グリセリン等の天然油及び天然脂肪を用いてもよい。更にファルネソール、ポリアミノプロピルビグアニド、イソプロピルアルコール、クロトリマゾール等の抗菌物質を用いてもよい。湿気抑制用に樫皮、セージ、クロロフィル（ジデシルジモニウムクロリド）、タンニン酸、ハマメリスを用いてもよい一方、尿素（カルバミド）又は脂質含有成分には逆の効果があり得る。また、全ての天然香料、特にメントールやラベンダー油を用いてもよい。悪臭抑制物質としてチャノキ油又はウンデシレンアミドＤＥＡ（ジエタノールアミン）を用いてもよい。
【００８０】
但し、スキンケア又は医薬的活性物質は、例えば滑石等の油性活性物質でもよい。
【００８１】
使い捨てブーティ１０の製造方法によると、不織布材料又は平坦材料を一巻きで及び／又は積み重ねて設けることができ、図８〜図１３を参照に説明した所定の裁断パターンにより使い捨てブーティ１０の構成部分を平坦材料から分離することができる。使い捨てブーティ１０の構成部分を裁断又は打抜により平坦材料から分離することができる。使い捨てブーティの構成部分を平坦材料から分離した後、構成部分を使い捨てブーティ１０の構成部分の所定接合領域に従い接合し、接合領域とは、対応構成部分１００、２００、３００、４００、５００、５１０、６００、６１０の対応既製／切抜部の同一点Ａ〜Ｆの間に延びる上記対応する裁断縁部分である。このため、本発明によると、次の工程を含む使い捨てブーティ１０の製造方法が設けられる。まず、一巻き又は積み重ねの平坦材料が設けられる。その後、使い捨てブーティ１０の構成部分１００、２００、３００、４００、５００、５１０、６００、６１０から選択された構成部分を所定の裁断パターンに従い平坦材料から分離する。最後に所定の接合領域に従い構成部分を使い捨てブーティ１０の構成部分に接合する。ここで、足裏部１００に対し垂直となるようにかかと部４００を足裏部１００に接合するのが特に好ましい。このため、接合縁がかかと部４００と足裏部１００との間に形成され、かかと部４００と足裏部１００の間の角度が６０度〜１２０度、又は７０度〜１１０度、又は８０度〜１００度、又は８５度〜９５度の範囲である。
【００８２】
プラスチック繊維、又はポリエステルやポリプロピレン等の合成繊維の割合が高い場合、不織布材料を溶接することもできる。また、繊維産業では熱成形方法も存在する。この方法により三次元物体が作られ、ブーティ１０もこの方法で製造可能であるが、高比率の合成物質等の具体的な材料特性が求められる。使用後の製品堆肥性がよいことが望ましい場合、低比率のプラスチック繊維が求められ、縫製や接着等のその他接合方法の使用も好ましい。
【００８３】
このため、本発明によると、例えば不織布材料からなる使い捨てブーティ１０が設けられ、一枚の既製／切抜部、又は多数の既製／切抜部の裁断パターンを用いることができる。例えば、企業ロゴを最初から不織布材料に編み込んでもよい。伸縮方向に不織布材料が伸縮する、又は拡張性がある場合、使い捨てブーティ１０、又は靴下、特に使い捨て靴下１０を、裏領域で縦方向に伸縮可能で、かかと領域の足の足首間で周方向に伸縮可能で、つま先領域と足の甲の周方向において足の縦方向に対し垂直に伸縮可能又は拡張可能となるように構成するのが有利である。よって、伸縮可能な材料で足に対し使い捨てブーティ１０を最適に調節することができる。使い捨てブーティ１０の伸縮方向は、合わせ縫製、又は異なる既製／切抜部の接合により変更可能であるが、特定形状の一枚の既製／切抜部を用いてもよく、使い捨てブーティ１０の合体時に伸縮方向が適宜回転する。更に、使い捨てブーティ１０を固定する接着テープを使うことで使い捨てブーティ１０を足１に最適に調節することができる。ここで、足裏部１００に固定される締付部としての接着テープ５２０を足の甲に巻くだけで使い捨てブーティ１０が固定される。更に、接着テープ６２０により足首で使い捨てブーティ１０を固定することもできる。
【００８４】
使い捨てブーティ１０の別の実施形態及び／又はその構成を図１４〜図１７Ｂに示すが、この使い捨てブーティ１０及び／又はその構成は本書に記載の実施形態及び／又はその構成と組み合わせ可能であるため、これにより新たな実施形態が出現する。
【００８５】
図１４は本発明の別の実施形態による固定状態の使い捨てブーティ１０の概略斜視図を示す。図１４から分かるように、使い捨てブーティ１０又は靴下１０、特に使い捨て靴下１０は、足裏部１００、つま先部２００、足背部３００の他に、使い捨てブーティ１０の着用時に足１のかかとを覆うかかと部４００を更に含む。更に、使い捨てブーティ１０又は靴下１０、特に使い捨て靴下１０には挿入物４６０を受け止める受け部４５０がある（図１４の矢印を参照）。使い捨てブーティ１０の着用時に受け部４５０は足１のかかと周囲で足１の甲から少なくとも部分的に足１の丸くふくらんだ部分の下に延びるため有利である。例えば、特に足１の後部を散る囲むために挿入物４６０を受け部４５０に挿入することができる。境界４５５により特に受け部４５０を足１の側面で制限してもよい。境界は特に受け部４５０と足背部３００の間の接合となってもよい。例えば、受け部４５０と足背部３００とを境界４５５で縫い合わせる又は溶接する。このため境界４５５は継ぎ目又は溶接継ぎ目となってもよい。
【００８６】
例えば、挿入物４６０は少なくとも部分的に特に足１の甲、足１の足首、及び／又は足１の側面を覆うシリコンパッド、ゲルパッド、クッション、スポンジ、フォームクッション、綿パッドを含んでもよく、又はこれらであってもよい。
【００８７】
更に、足又は足の足首を支えることで支持手段により足１の安定性を向上させる挿入物４６０が考えられる。これは足１の足首に沿って上向きに受け部４５０が到達すればするほど一層効果的である。また、一種の中敷として足裏から足１を支える挿入物４６０が考えられる。
【００８８】
肌との摩擦を最小限にするために、使い捨てブーティ１０の着用時に足１と接する表面領域、又は使い捨てブーティ１０の表面領域に低摩擦化材料を含めてもよい。本発明による使い捨てブーティの弾性や張力等の機械的及び／又は幾何学的特性の他に、触覚的「柔らかさ」（つまり縁のない特になめらかなできれいな加工等）は着用者及び／又は足にとって有利である。
【００８９】
摩擦が足にマイナス効果を与えるというリスク（つまり、例えば表皮のすりむけ、又は組織変形の原因）は、材料の影響に加え、継続する圧力により増加する。特に移動度の低い患者では、例えば足のかかとにおける小さな表面には比較的大きい荷重が伝わる位置で圧力は常に増加する。同様に圧力の期間も作用するため、本発明による使い捨てブーティ１０は受け部４５０を含み、特にその中に圧力を低減する挿入物４６０を挿入可能である。
【００９０】
肌から使い捨てブーティへの摩擦は、「製造合成繊維」の材料の中でも好ましくは例えばＰａｒａｆｒｉｃｔａという製品名で流通する材料を用いることで軽減可能である。軽度のすりむけ又は赤みから（床ずれによる）褥瘡等の深刻な継続兆候に順次至り得る皮膚刺激はヘルスケア産業の多大なコストと関連し、この皮膚刺激を防止するために、例えば直接材料に働く処方により含浸させた含浸材料を用いることにより、及び／又は肌と使い捨てブーティ１０との間に潤滑効果を生じさせる材料に適応される処方を用いることにより、「製造合成繊維」の機械工程において摩擦が低くなる。
【００９１】
足１の肌と使い捨てブーティ１０との間で潤滑効果を生じさせるために、ローション含有織物片（不図示）を更に設けることができる。特に少なくとも部分的に足１の甲、足１の足首、及び／又は足１の側面を覆うため織物片を採用してもよい。
【００９２】
（例えば潤滑効果による）皮膚刺激の低減の他に、使い捨てブーティ１０又は靴下１０、特に使い捨て靴下１０は更に使い捨てブーティ１０に塗布される活性物質を含んでもよく、活性物質には摩擦低減、悪臭抑制、抗菌性、静菌性、静真菌性、抗ウイルス性、止血性及び／又は痛み緩和の作用がある。活性物質は挿入物４６０にも適用可能である。
【００９３】
また、例えば失禁又は汗による湿気も肌にマイナス効果である。湿気で材料と肌との摩擦要因がおよそ２倍に増加するため、使い捨てブーティ１０又は靴下１０、特に使い捨て靴下１０は、例えば湿気吸収性材料からなる、及び／又は湿気吸収性材料を含む湿気吸収性特性を備えてもよい。
【００９４】
本書に記載したように、実施形態及び／又はその構成を互いに組み合わせ可能で、これにより新たな実施形態が出現する。図１４は図２Ａ、図２Ｂによる実施形態を示すが、結果として本書に記載の実施形態の全てにおいて受け部４５０を設けてもよい。図１５は図４Ａ、図４Ｂによる実施形態で受け部４５０を備えた実施形態を示し、特に本書に記載の利点が達成される。
【００９５】
図１６は本発明の別の実施形態による固定状態の使い捨てブーティ１０の概略斜視図を示す。図１４から分かるように、使い捨てブーティ１０又は靴下１０、特に使い捨て靴下１０にはかかと部４００に固定される着用補助部４７０を備えてもよい。着用補助部４７０は使い捨てブーティ１０の着脱を容易にする。例えば、かかと部４００をかかとに取り付ける及び／又はかかとから取り外すために着用補助部で使い捨てブーティ１０を掴むことができるため、着用補助部４７０は使い捨てブーティ１０の着脱を容易にすることができる。例えば、特に簡略で低コストの実施形態では、かかと部４００から延びるフラップ、小穴、布切を着用補助部に含めてもよい。図１５による実施形態は特に足首締付部６００を含む。より大きな挿入物４６０を受け止めるために受け部４５０をかかと部４００から足首締付部６００に拡張可能とするのが有利である。よって、足１の大部分が保護され、及び／又は支えられる。
【００９６】
更に、装着後に使い捨てブーティ１０又は靴下１０、特に使い捨て靴下１０がかかとで滑るのを防ぐために、使い捨てブーティ１０又は靴下１０、特に使い捨て靴下１０の内側を、つまり使い捨てブーティ１０のかかと領域で肌と接する側を、特に足首方向に例えばシリコンで被覆することができる。又、使い捨てブーティ１０が床で移動又は捩れるのを防ぐために、使い捨てブーティ１０の内側を選択的に、又は他の領域に広げてシリコンで被覆することもできる。よって、シリコン被覆の基材として耐滑性被覆を使い捨てブーティ１０の内側に塗布することができ、これで例えば靴下又は使い捨てブーティ１０が夜間に内部で意図せず捩れるのが防止される。
【００９７】
図１７Ａ、図１７Ｂは本発明の別の実施形態による使い捨てブーティ１０の概略斜視図を示す。図１７Ａ、図１７Ｂに示す使い捨てブーティ１０は、後部締付部８００を設けた点で図２Ａ、図２Ｂに示す使い捨てブーティ１０と実質的に異なる。後部締付部８００は足の内側に弾性材料８１０、８２０を含み、後部締付部８００の一端８３０に接着要素８４０を設けることができ、接着要素８４０は足１の足の甲の上部と足１のかかとの方向での調節を可能にする。弾性材料８１０、８２０を後部締付部８００に特に縫製、溶接、接着で設けることができる。特に、後部締付部８００を足の足首の後ろ方向に固定することができる。
【００９８】
弾性材料８１０、８２０を使い捨てブーティ１０、特に後部締付部８００と同じ弾性や高張力特性の材料、特に不織布又は別の不織布又は織材で構成可能である。弾性材料８１０、８２０により使い捨てブーティ１０のカスタムフィットの装着や固定を可能にする引張応力が形成される。
【００９９】
下にある材料と接合できるように接着要素８４０に高張力マジックテープ（登録商標）、接着剤、粘着材を含めてもよい。最適フィットとなるまで繰り返し調節可能な、例えばおむつ用と同様のファスナーが可能である。特に、接着要素８４０はボンディング要素５１５、６１５と同じ材料で構成可能であり、及び／又はボンディング要素５１５と同じ特性を持つことができる。
【０１００】
このように形成された使い捨てブーティ１０は、まだ動ける人々及び／又は自立した人々に特に有用である。こうした人々は着脱に介助を要しないが、その足の状態（感染、アレルギー、開き傷、真菌性水虫等）に衛生製品が有利であると考える。使い捨てブーティ１０は従来の靴下又は靴で覆われてもよい。この実施形態は受け部がなくても有利となり得る。
【０１０１】
また、本発明による使い捨てブーティ１０の足１の裏側を、つまり床に対向する側をシリコン等の耐滑性材料で選択的又は広範に被覆することができる。これにより使用者はなめらかな床で滑ることがないが、それでも靴へ滑り込ませることが可能である。
【０１０２】
本発明による使い捨てブーティの実施形態には静菌性、静真菌性、抗ウイルス性、非毒性、高吸収性、アレルギー対応、通気性、止血性及び／又は生体適合性といった利点がある。
【０１０３】
図１８に示すように、実施形態において少なくとも第１不織布材料を少なくとも別の不織布材料とエンボス加工又は機械的に圧縮することができる。更に、エアレイド方法により不織布材料層又はシートを相互接合できる。同様の、又は異なる不織布材料を少なくとも部分的に重ね合わせ接着することができる。これにより吸収力の他に複合不織布の湿潤強度が向上する。
【０１０４】
実施形態によると、材料１０００又は多層材料１０００を設けることができる。多層材料１０００には不織布の層、特に第１不織布材料と別の不織布材料の層を含めてもよい。更に、多層材料１０００は不織布材料層の他に、又は不織布材料層の代わりに別の層を含めてもよい。
【０１０５】
材料１０００は例えばＤＥ ６０ ２００４ ００２ ２０６ Ｔ２の開示のように不織布又は不織布材料でもよい。特に、不織布製の材料１０００はウィロー、スパンボンド、メルトブロー、エアレイ、ウェットレイ、又はその混合処理により取得可能な繊維やフィラメントからなる多孔性又は吸収性の不織布であってもよい。更に、織物ボンディング方法としてハイドロエンタングルメントを用いてもよい。
【０１０６】
不織布材料の繊維又はフィラメントは、例えば木材パルプ、羊毛、綿、麻等の天然材料、例えば再生セルロース、ビスコース、モダール、キュプロ、リヨセル、セルロースアセテート等の天然系合成材料、又は例えばポリビニル、ポリエステル、ポリオレフィン、ポリアミド等合成材料であってもよい。
【０１０７】
材料１０００の不織布材料の面積当たりの重量は１０〜３０ｇ／ｍ２、より好ましくは１５〜２５ｇ／ｍ２が可能とするのが有利である。材料１０００としては特に面積当たりの重量が１５〜２５ｇ／ｍ２のポリプロピレンからなるスパンボンド布が特に好ましい。
【０１０８】
図１８の例では多層材料１０００を形成する第１材料層１０１０、第２材料層１０２０、第３材料層１０３０、第４材料層１０４０が示されるが、多層材料１０００の材料層の数は例えば２層、３層、５層、６層等の他の数であってもよい。第１〜第４材料層１０１０、１０２０、１０３０、１０４０を機械的に相互接合し、例えば相互積層するのが好ましい。
【０１０９】
例えば、第１材料層１０１０は好ましくは摩擦係数が低い不織布、吸収性、柔軟、クッション、加温及び／又は高弾性材料層でもよい。実施形態では第１材料層１０１０は使い捨てブーティ１０の内側、つまり足１にフィットする側を構成する。
【０１１０】
第２材料層１０２０は好ましくは弾性膜材又は弾性箔材であってもよい。特に、第２材料層１０２０は２つの空間方向への弾性を可能とするバイストレッチ材でもよい。更に、第２材料層１１０は湿気が通過できるように透過性又は半透性であってもよいが、微生物バリア機能が設けられるのが好ましい。
【０１１１】
高耐性を設けるために第３材料層１０３０は特にすりむけに耐性のある不織布及び／又は高弾性材料層であってもよい。
【０１１２】
第４材料層１０４０は特に使い捨てブーティ１０の外側で被覆を構成する。使い捨てブーティ１０の着用中に滑らないようにするために、第４材料層１０４０に耐滑性があるのが好ましい。更に、第４材料層１０４０はバリア機能としての不透性膜を設けることができる。第４材料層１０４０は一定の領域のみでバリア機能を設けることができる。バリア機能は必要とされる領域にのみ設けることができるが、その他領域では使い捨てブーティを介した高湿気移動が保証される。更に、特に使い捨てブーティで締付機構が形成される領域において、第４材料層１０４０に粘着被覆を含めることができる。
【０１１３】
更に、図１９、図２０に示すように、第５材料層１０５０又は局在材料層１０５０を第１材料層１０１０（図１９参照）又は第４材料層１０４０（不図示）の上に形成することができる。局在材料層１０５０は局在領域又は限定空間領域において、その領域用の特殊機能を設けることができる。よって、局在材料層１０５０は１つ以上の機能的領域を形成することができる。更に、多層材料層１０００の他の材料層、つまり第１〜第４材料層１０１０、１０２０、１０３０、１０４０が局在材料層１０５０の領域に形成され、局在領域の機能を支援するようにする。
【０１１４】
例えば、第１機能的領域１０５１はつま先部２００の領域で通気性を向上させることができる。このため、局在材料層１０５０及び／又は多層材料１００１の他の材料層に有孔材料を含めることができ、その領域の多層材料層１０００に透過性箔を設けることができ、その領域の第１〜第４材料層１０１０、１０２０、１０３０、１０４０に別の材料を設けることができ、及び／又はその領域で多層材料層に開口があってもよい。
【０１１５】
第２機能的領域１０５２は、例えば足背締付部５００等の締付機構の領域で弾性を向上させることができる。例えば高耐性及び／又は高重複の締付機構を作成することができる。弾性が向上した機能的領域１０５２を、例えば足の甲の領域で形成すれば、足の甲での折り曲げが防止される。
【０１１６】
第３機能的領域１０５３はかかと部４００の上部領域、つまり使用者が使い捨てブーティ１０を着脱するために使い捨てブーティ１０を掴む領域で、柔軟な触感を設けることができる。これは高い弾性により達成可能で、他の機能的領域、例えば第７機能的領域１０５７よりも第３機能的領域において、密に編まれた弾性繊維が材料層１０００に導入又は接合されるためである。更に、粘着性被覆を足首部分の使い捨てブーティ１０の内側に設けてもよい。更に、使い捨てブーティ１０の着脱を容易にするために、弾性と組み合わせた圧縮を余分にかかと部４００の領域に設けてもよい。更に、切裂又は破裂を防止するために、その領域の材料を、例えば二重層として厚めに形成してもよい。
【０１１７】
第４機能的領域１０５４に別のクッション機能を設けてもよい。クッション機能を、例えば多層材料層１０００により設けてもよい。更に、発泡部分を２つの材料層の間に、特に２つの不織布層の間に設けてもよく、及び／又はマジックテープ（登録商標）により外側材料層に取り付けてもよい。
【０１１８】
英語の専門用語で「ランディングゾーン（landing zone）」で示された第５機能的領域１０５５は、固定機構を表すことができ、又はその一部を表すことができ、又はそのような機構のサポートとなり得る。例えば、マジックテープ（登録商標）又は弾性ファスナーを外側材料層に取り付ける（接着、縫製、溶接する）ことができる。更に、粘着性被覆を設けることができ、この助けにより多層材料層１０００の材料層を互いにくっつけることができる。マジックテープ（登録商標）の使用に比べ接着剤の使用により低コストが可能なため、特に使い捨てブーティ１０の場合に有利である。
【０１１９】
第６機能的領域１０５６は吸収性特性を設けることができる。例えば、使い捨てブーティ１０の内側に不織布又は発泡材料製の底又は底部を余分に設けて汗を吸収することができる。更に、肌を乾燥させることなく汗等の水分を、例えば使い捨てブーティ１０の内側から外側に運ぶために、多層材料層１０００はその領域で通気性を向上させることができる。更に、第６機能的領域１０５６は断熱を設けることができる。
【０１２０】
第７機能的領域１０５７は滑り止め特性を設けることができる。例えば、粘着性被覆、シリコン被覆、余分箔を使い捨てブーティ１０の外側に設けることができるが、第７機能的領域１０５７に粗面材、又は材料層１０００に印刷された材料を含めてもよい。更に、滑り止め特性を示す視覚的パターンを設けてもよい。
【０１２１】
図２１は、弾性特性のある材料層（以下、伸縮材２０００）の製造を示す。伸縮材２０００とその製造は、例えば、ＤＥ １０ ２００７ ０５５ ５２４ Ａ１及び／又はＤＥ １０ ２００５ ０１１ ０５９ Ｂ３に記載されている。伸縮材２０００は弾性化手段１３００と材料又は材料層１０００を含む。伸縮材２０００を製造するために、弾性化手段１３００を、例えば予圧（伸縮性ボンディング）下で材料１０００のシャーシ成形シェル材料に固定することができる。この過程で予圧下の弾性化手段１３００を接合点１１４０で材料１０００のシェル材料に選択的に接合し、弾性化手段１３００を未搭載状態の材料１０００が好ましい伸縮方向に沿って、つまり弾性化手段１３００の予圧方向に沿ってアコーディオン又は波状に折られる。予圧は１．５〜６．００でもよく、特に２．５〜５．０でもよい。この過程で予圧を弾性繊維１１２０の非伸縮／緩和状態と比較した伸び率要因と定めることができる。
【０１２２】
図２１の上２つの図から分かるように、伸縮材２０００において、材料１０００、例えば不織布材料の材料１１１０を波打形状で弾性化手段１３００、例えば弾性繊維１１２０に適合させることができる。この状態で材料層１１１０は高い所と低い所を備えることができる。弾性繊維１１２０を材料層１１１０の低い所と平行に配置して接合することができる。実用化では弾性繊維１１２０をボンディング層で完全に被覆し、その後予圧下で特に不織布材料層の材料層１１１０に接合することができる。不織布材料は複数の繊維又はフィラメントからなるため、弾性繊維１１２０と材料層１１１０の間の選択的接合が生じる。弾性繊維１１２０に沿って圧力を加えると、材料層１１１０の波打状態を拡張状態に切り替えることができ、特に材料層１１１０が滑らかな状態になるまで材料層１１１０を弾性繊維１１２０に沿った方向に延ばすことができる。弾性繊維１１２０により波打状態方向の復元力を設けることが可能である。このように固有の弾性ではない弾性を材料層で生成することができる。弾性化手段１３００はゴムやポリエステルポリウレタン繊維用ポリエーテルポリウレタン等の繊維又は帯形状の弾性化手段、好ましくはＬｙｃｒａ（登録商標）やＳｐａｎｄｅｘ（登録商標）繊維等の弾性繊維を含むのが好ましい。弾性化手段１３００の強度は好ましくは３００〜１５００ｄｔｅｘ、より好ましくは５００〜１２００ｄｔｅｘ、更に好ましくは５００〜９００ｄｔｅｘである。よって、ユニストレッチ材を所定の１つの伸縮方向ＬＳＴＲＥＴＣＨに沿った弾性特性のある伸縮材２０００として製造することができる。
【０１２３】
材料層１１１０は波打状態で肌へのダメージを防止可能なクッション及び／又は断熱を設けることができる。更に、このように作成した構造を継ぎ目及び／又は縁を覆うために用いることができる。更に、微小移動により摩擦を低減できる。また、高伸縮と高拡張度を同時に設ける高弾性伸縮材２０００がこのように設けられる。
【０１２４】
図２１の中央の２つの図は同様の原理を示すが、弾性特性のある伸縮材２０００を設けるために、弾性繊維１１２０に代わり、少なくとも不織布層１１１０が波打つ空間方向に弾性がある弾性膜１１３０を弾性化手段１３００として使用する。図２１の中央右図に示すように、不織布層１１１０と弾性膜１１３０との接合が接合点１１４０を介して設定可能で、超音波溶接合又は接着結合により実現可能である。これにより耐引裂接合が形成されるという利点がある。
【０１２５】
図２１の下２つの図は上記一次元原理の空間二方向への転換を示す。ここで、材料層１１１０は、図２１の上の２つの図と中央の２つの図に示すように１つの方向に沿って波打のではなく、空間二方向に沿って波打つ。このため、二方向に予圧された弾性膜１１３０は接合点１１４０の格子を介して材料１０００に接合される。ある実施形態によると、材料１０００からなる材料層１１１０に弾性膜を取り付けることができ、弾性膜はその後の処理で収縮する。このような伸縮材の一例として、Ｈ．Ｂ．Ｆｕｌｌｅｒ社（ｕはウムラウト付）の材料Ｃｏｎｆｏｒｍａを引用する。よって、バイストレッチ材を空間二方向、つまり第１伸縮方向ＬＳＴＲＥＴＣＨ１、ならびに第２伸縮方向ＬＳＴＲＥＴＣＨ２に弾性特性のある伸縮材２０００として生成することができる。
【０１２６】
使い捨てブーティ１０、ならびに関連する裁断パターンの別の実施形態を図２２Ａ〜図２７Ｃに示すが、それ自体及び／又はその構成を本書に記載の実施形態及び／又はその構成と組み合わせてもよく、これにより新たな実施形態が出現する。
【０１２７】
図２２Ａ、図２２Ｂは、本発明の別の実施形態による使い捨てブーティ１０又は靴下１０の概略斜視図を示し、図２２Ｃは、関連する裁断パターンを示す。図２２Ａ、図２２Ｂから分かるように、使い捨てブーティ１０又は靴下１０、特に使い捨て靴下１０は足裏部１００、つま先部２００、足背部３００の他に、使い捨てブーティ１０の着用時に足１のかかとを覆うかかと部４００を更に含む。更に、使い捨てブーティ１０又は靴下１０、特に使い捨て靴下１０には足背締付部５００があり、使い捨てブーティ１０を足１に装着状態の場合に足背締付部５００は足１の甲で使い捨てブーティ１０を開放可能に固定する。図２２Ａ、図２２Ｂに示す本発明の実施形態によると、足背締付部５００にはフラップ部５１０があり、フラップ部５１０は足裏部１００に固定され、フラップ部５１０を足背部３００、又は足裏部１００に開放可能に固定するボンディング要素５１５又はマジックテープ（登録商標）を備える。更に、使い捨てブーティ１０又は靴下１０、特に使い捨て靴下１０には足首締付部６００があり、使い捨てブーティ１０の着用時に足首締付部６００が足１の足首で使い捨てブーティ１０を開放可能に固定する。図２２Ａ、図２２Ｂに示す本発明の実施形態では、足首締付部６００が少なくともフラップ部６１０を取り囲み、フラップ部６１０はかかと部４００に固定され、フラップ部６１０を足首締付部６００又はかかと部４００に開放可能に固定するボンディング要素６１５を備える。よって、足の甲をしっかり取り囲み、使い捨てブーティ１０を上向きに固定することが共に実現される。移動の余地を確保すると同時に安定した支えを設けるために、足背締付部５００及び／又は足首締付部６００を弾性可能に形成するのが好ましい。
【０１２８】
一実施形態によると、少なくとも足裏部１００、かかと部４００、つま先部２００を一枚の裁断パターンとして形成することができる。特に、足裏部１００、かかと部４００、つま先部２００、更に足背部３００を一枚の裁断パターンとして形成することができる。図２２Ｃに示すように、足背部３００、かかと部４００は、直線状の裁断縁部分を有しており、足背部３００の直線裁断縁部分とかかと部４００の直線裁断縁部分は足形状に分岐し、裁断縁角αを囲む。よって、一枚の裁断パターンには少なくともの裁断縁角部分があり、その裁断縁角αは７０°以上、特に７５°以上、及び／又は９０°以上、特に８５°以下、及び／又は好ましくは約８０°である。裁断縁角αを２つの裁断縁の間に形成することができ、その一方は足背部３００の一部であり、他方はかかと部４００の一部である。裁断縁角αを足背締付部５００と足首締付部６００と同一側面に形成するのが好ましいが、裁断縁角αを足背部３００とかかと部４００との間の反対側又は両側に形成することもできる。裁断パターンに少なくとも１つの裁断縁角部分を設け、そこから足背部３００の垂直裁断縁部分とかかと部４００の垂直裁断縁部分が延びて９０°未満の角度を囲み、足背部３００とかかと部４００の裁断縁部分を組み合わすと使い捨てブーティ１０が作製され、後部かかと部４００がアキレス腱領域に向かって延び、つまり足裏部１００から上向きに垂直には延びずにかかと用の袋を形成する。よって、かかと部４００の領域で使い捨てブーティ１０が脱げることが防止され、又は少なくとも難しくなる。更に、つま先部２００にはつま先受け部２１０があってもよい。着用時につま先受け部２１０はつま先を受け止めることができるため、使い捨てブーティ１０を付けるため使い捨てブーティ１０内への滑り込みが容易になる。
【０１２９】
図２３Ａ、図２３Ｂは、本発明の別の実施形態による使い捨てブーティ１０の概略斜視図を示し、図２３Ｃは、その関連する裁断パターンを示す。図２３Ａ〜図２３Ｃに示す使い捨てブーティ１０は、足背締付部５００がフラップ部５１０と足首締付部６００の代わりに自己接着テープ又は接着テープ５２０を有する点で、図２２Ａ〜図２２Ｃに示す使い捨てブーティ１０とは実質的に異なる。使い捨てブーティ１０を足１に装着状態の場合、接着テープ５２０はかかと部４００を少なくとも一度取り囲む（図２３Ａの矢印を参照）。更に、かかと部４００には図３Ａ、図３Ｂに関連して説明した特性があってもよい。
【０１３０】
図２３Ｃに示す裁断パターンは、接着テープ５２０を表示するために足背締付部５００が長く形成され、足首締付部６００に対応する領域が設けられていない点で図２２Ｃに示す裁断パターンとは実質的に異なる。特に、上記裁断縁角αを備えた裁断縁角部分を足背部３００とかかと部４００の間に設けてもよい。
【０１３１】
図２４Ａ、図２４Ｂは、本発明の別の実施形態による使い捨てブーティ１０の概略斜視図を示し、図２４Ｃは、関連する裁断パターンを示す。図２３Ａ〜図２３Ｃに示す使い捨てブーティ１０は、足背締付部５００と足首締付部６００とがつま先部２００に固定される又は接合される点で、図２２Ａ〜図２２Ｃに示す使い捨てブーティ１０とは実質的に異なる。特に、フラップ部５１０をつま先部２００に固定することができ、フラップ部６１０をフラップ部４１０に固定することができる。使用者が使い捨てブーティ１０に踏み入れると、特にそのつま先がつま先部２００に入ると、足背締付部５００と足首締付部６００がつま先部２００から後ろ向きにひるがえされ、足背部３００及び／又はかかと部４００に固定可能となる。例えば、足背締付部５００に足背締付部５００を足背部３００に固定するボンディング要素５１５又はマジックテープ（登録商標）締付要素を含めてもよく、及び／又は足首締付部要素６００に足首締付部６００をかかと部４００に固定するボンディング要素６１５又はマジックテープ（登録商標）締付要素を含めてもよい。ここで、足首締付部６００を反対側に拡張させて、使用者の足の回りに巻き付け可能とし、ボンディング要素６１５又はマジックテープ（登録商標）締付要素により互いに固定可能としても良い。
【０１３２】
図２４Ｃに示す裁断パターンは、つま先部２００に足背締付部５００と足首締付部６００を設けた点で図２２Ｃに示す裁断パターンと実質的に異なる。特に、足背締付部５００と足首締付部６００をつま先受け部２１０に接合できる。更に、足背部３００とかかと部４００の間に裁断縁角αを備えた裁断縁角部分を設けることができる。
【０１３３】
図２５Ａ、図２５Ｂは、本発明の別の実施形態による使い捨てブーティ１０の概略斜視図を示し、図２５Ｃは、関連する裁断パターンを示す。図２５Ｃ〜図２５Ｃに示す使い捨てブーティ１０は、足背締付部５００と足首締付部６００が別の裁断パターンとして存在する点で、図２４Ｃ〜図２４Ｃに示す使い捨てブーティ１０と実質的に異なる。このため、二部式裁断パターンが設けられる。足背締付部５００と足首締付部６００用の裁断パターンはつま先に被せることのできるつま先締付部９００を更に含む。足裏部１００、つま先部２００、足背部３００、かかと部４００を含む第１部分を付けた後、足背締付部５００、足首締付部６００、つま先締付部９００を含む締付部をつま先に被せ、締付部を足背部、３００及び／又はかかと部４００に固定することができる。使い捨てブーティ１０の二部式設計により異なる材料を異なる領域に用いることができるため、それぞれの使用目的に応じて２つの部分が最適化される。
【０１３４】
図２５Ｃに示す裁断パターンは、２つの部分として設計されている点で、図２４Ｃに示す裁断パターンと実質的に異なる。足背締付部５００、足首締付部６００、つま先締付部９００用の第２裁断パターンが設けられる。特に、つま先締付部９００につま先受け部２１０と同様のつま先受け部があってもよい。更に、裁断縁角αを備えた裁断縁角部分を足背部３００とかかと部４００の間に設けてもよい。実施形態では図２５Ｃに示すように、つま先受け部２１０のつま先部２００に対応する領域に半円形のへこみがあってもよい。
【０１３５】
図２６Ａ、図２６Ｂは、本発明の別の実施形態による使い捨てブーティ１０の概略斜視図を示し、図２６Ｃは、関連する裁断パターンを示す。図２６Ａ〜図２６Ｃに示す使い捨てブーティ１０は、足背締付部５００が少なくとも部分的に内側から固定される点で、図２５Ｃ〜図２５Ｃに示す使い捨てブーティ１０と実質的に異なる。このため、少なくとも部分的に内側から、つまり足に対向する側から第１裁断パターンに固定される二部式裁断パターンが設けられる。
【０１３６】
足背締付部５００には足の甲の上部に配置されるバック部５５０がある。バック部５５０の前部をつま先部２００に滑り込ませることができ、バック部５５０の足首に面する後部をかかと部４００に滑り込ませることができる。後部をかかと部４００に固定するために、内側からかかと部４００に固定可能な１つ、好ましくは２つの足首フラップ部５５２を設けることができれば好ましい。例えば、足首フラップ部５５２は粘着性であってもよく、又はマジックテープ（登録商標）を備えてもよい。更に、足背締付部５００の中央領域に外側から足背部３００に固定される１つ、好ましくは２つの側面フラップ部５５４を含めてもよい。側面フラップ部５５４は粘着性でもよく、又はマジックテープ（登録商標）を備えてもよい。
【０１３７】
使い捨てブーティ１０の二部式設計により、異なる材料を２つの異なる領域に用いることができるため、使用目的に応じて２つの部分が最適化される。足背締付部５００は弾性材料、特に足裏部１００、つま先部２００、足背部３００、かかと部４００の弾性材料を含むことが好ましい。よって、余地が十分ある安全でぴったりな使い捨てブーティ１０の締付具が作製される。更に、足裏部１００、つま先部２００、足背部３００、かかと部４００と相対的に足背締付部５００を動かすことで使い捨てブーティ１０が足１に調節可能となる（図２６Ａの右側の図の矢印を参照）。
【０１３８】
図２６Ｃに示す裁断パターンは、つま先締付部９００を設けておらず、足背締付部５００にバック部５５０、足首フラップ部５５２、側面フラップ部５５４用の対応する領域を設けている点で図２５Ｃに示す裁断パターンと実質的に異なる。更に、足背部３００とかかと部４００との間に角度αを備えた裁断縁角部分を設けてもよい。実施形態によると、図２６Ｃに示すつま先受け部２１０のつま先部２００に対応する領域に半円形のへこみがあってもよい。
【０１３９】
図２７Ａ、図２７Ｂは、本発明の別の実施形態による使い捨てブーティ１０の概略斜視図を示し、図２７Ｃは、関連する裁断パターンを示す。図２７Ａ〜図２７Ｃに示す使い捨てブーティ１０は、足背締付部５００がフラップ部５１０の代わりに２つの足の甲重ね部５６０を含み、足首締付部６００がフラップ部６１０の代わりに２つの足首重ね部６６０を含む点で図２２Ａ〜図２２Ｃに示す使い捨てブーティ１０とは実質的に異なる。使い捨てブーティ１０を足１に装着状態の場合、２つの足の甲重ね部５６０は足背部３００を少なくとも一度囲み（図２７Ａの左矢印を参照）、重ね合わせて配置されるため、足の甲重ね部５６０が少なくとも部分的に重なる。使い捨てブーティ１０を足１に装着状態の場合、２つの足首重ね部６６０はかかと部４００を少なくとも一度囲み（図２７Ａの右矢印を参照）、重ね合わせて配置されるため、足首重ね部６６０が互いに少なくとも部分的に重なる。図２７Ａ〜図２７Ｃに示す使い捨てブーティ１０用の多層材料におむつ材料を含めることが可能であるのが好ましい。おむつ材料は、例えば伸縮性ボンディング方法により製造された不織布及び／又は伸縮材であってもよく、弾性特性がある。ここで、不織布材料には足を乾燥状態にするため、又は長時間活性物質を足に投与可能とするための特殊な吸収特性があってもよい、更に、つま先部４００の中央領域に裁断パターンの２つの裁断縁の反転部５６５を設けてもよい。使い捨てブーティ１０を開放可能に固定するために、反転部５６５の足背部３００に対向する側にボンディング要素又はマジックテープ（登録商標）締付要素を含めてもよい。
【０１４０】
図２７Ｃに示す裁断パターンは、特に簡略形状である点で図２２Ｃに示す裁断パターンとは実質的に異なり、足裏部１００の縦長中心線（図２７Ｃの点線を参照）で鏡面対称であり、形状が翼状である。裁断パターンの簡略形状により、図２７Ａ〜図２７Ｃに示す使い捨てブーティ１０は特に容易に製造可能であり、及び／又は少なくとも足裏領域で継ぎ目なしに製造可能である。
【０１４１】
図２８Ａは、本発明の別の実施形態による使い捨てブーティ１０の概略斜視図を示し、図２８Ｂは、関連する裁断パターンを示す。図２２Ａ、図２２Ｂから分かるように、使い捨てブーティ１０又は靴下１０、特に使い捨て靴下１０は、足裏部１００、つま先部２００、足背部３００の他に、使い捨てブーティ１０の着用時に足１のかかとを覆うかかと部４００を更に含む。更に、図２８Ａ、図２８Ｂの実施形態に示す使い捨てブーティ１０は足裏部１００に境界１２１０を含む。境界１２１０は継ぎ目又は溶接継ぎ目であってもよく、そこでかかと部の２つの裁断縁が縫い合わされる。よって、使用者が容易に足１を覆うことができる使い捨てブーティ１０を設けることができる。このため、使い捨てブーティ１０又は靴下１０、特に使い捨て靴下１０が低コストで製造可能であり、取り扱いが簡易となる。
【０１４２】
図２８Ｂに示すように、足裏部１００、かかと部４００、足背部３００、つま先部２００を一枚の裁断パターンとして形成することができる。一枚の裁断パターンはつま先部２００に対応する部分を介して接合可能で、及び／又は境界１２１０を形成する足裏部１００に対応する部分に裁断縁があってもよい。
【０１４３】
図２９Ａは本発明の別の実施形態による使い捨てブーティ１０の概略斜視図を示し、図２９Ｂは関連する裁断パターンを示す。図２９Ａ、図２９Ｂに示す使い捨てブーティ１０には境界１２１０の代わりに第１境界１２２０、第２境界１２３０がある点で図２８Ａ、図２８Ｂに示す使い捨てブーティ１０とは実質的に異なる。よって、使い捨てブーティ１０で受け止められる足のかかと領域を中央に横切って継ぎ目が延びるのではなく、継ぎ目が横に延びるため、かかと領域の足裏領域において圧覚点が回避される。第１境界１２１０はつま先受け部２１０等の上部を、残りのつま先部２００に対して固定することができる。第２境界１２３０によりかかと部４００を足背部３００に接合できる。
【０１４４】
図２８Ｂに示すように、足裏部１００、かかと部４００、足背部３００、つま先部２００の構成部分を一枚の裁断パターンとして形成することができるが、つま先受け部２１０は別の裁断パターンとして存在でき、これは後に境界１２２０を介して固定される。裁断パターには足背部３００に対応する部分とかかと部４００に対応する部分との間に境界１２３０を形成する裁断縁があってもよい。
【０１４５】
図３０Ａは、本発明の別の実施形態による使い捨てブーティ１０の概略斜視図を示し、図３０Ｂは、関連する裁断パターンを示す。図３０Ａ、図３０Ｂに示す使い捨てブーティ１０は、一枚の裁断パターンから作製することができる点において、図２９Ａ、図２９Ｂに示す使い捨てブーティ１０とは実質的に異なる。例えば、つま先受け部２１０は、図３０Ｂの裁断パターンのつま先部２００の残部に接合される。つま先受け部２１０の裁断縁は、つま先部２００に接合可能な境界１２４０を形成する。更に、境界１２３０に対応する境界１２５０が存在する。実施形態では図３０Ｂに示すようにつま先受け部２１０のつま先部２００に対応する領域に半円形のへこみがある。
【０１４６】
図３１Ａは、本発明の別の実施形態による使い捨てブーティ１０の概略斜視図を示し、図３１Ｂは、関連する裁断パターンを示す。図３１Ａ、図３１Ｂに示す使い捨てブーティ１０は、足背部３００の構成部分が重なる点において、図３０Ａ、図３０Ｂに示す使い捨てブーティ１０とは実質的に異なる。足背部３００の重なり部分をつま先領域に近い領域に形成することができ、その領域で安定した固定と断熱が可能とされる。図３１Ｂの裁断パターンに示すように、この裁断パターンにはつま先部２００に対応する領域に半円形のへこみがない。
【０１４７】
図３２Ａ、図３２Ｂは、靴下１０特に使い捨て靴下１０の裁断パターンを示し、伸縮材２０００を含んでもよい。伸縮材２０００は、弾性化手段１３００と少なくとも１つの材料層１０００を含んでもよい。弾性化手段１３００は、図２１を参照して上記説明した弾性繊維１１２０又は弾性膜１１３０を含んでもよい。伸縮材２０００は、少なくとも材料層１０００と弾性化手段１３００からなる複合構造を含んでもよく、複合構造が少なくとも伸縮方向ＬＳＴＲＥＴＣＨに沿って弾力的に伸縮できるように、少なくとも１つの材料層１０００が波打、縮み、アコーディオン形状で弾性化手段１３００に接合される。一実施形態によると、靴下１０は伸縮方向ＬＳＴＲＥＴＣＨが一方向のみの、つまり平面領域基準で一方向のみに弾力的に伸縮可能な伸縮材２０００、つまり拡張性／布状伸縮材２０００の一部式又は二部式の裁断パターンから組み立てられる。このような伸縮方向ＬＳＴＲＥＴＣＨが一方向のみの伸縮材２０００には簡易、単純、低コストな製造という利点があり、製造工程の数が減少する。
【０１４８】
図３２Ａは、伸縮していない状態の伸縮材２０００からなる靴下１０の裁断パターンを示し、これは収縮状態の靴下１０に対応し得る。図３２Ｂは、同じ裁断パターンの伸張状態を示す。図３２Ａに示す状態と図３２Ｂに示す状態との間の拡張度は１００％である。ここで拡張度の割合は、伸縮していない状態と比較した割合の長さ変化に対応する。従って、１００％の拡張度は、＋１００％の長さ変化に対応する。よって、図３２Ｂに示す裁断パターンは、矢印ＬＳＴＲＥＴＣＨが示す拡張に沿って、図３２Ａに示す収縮した裁断パターンの長さの二倍になっている。
【０１４９】
実施形態では伸縮材２０００は引き裂かれるまでは最大限に伸張可能で、つまり破断伸縮又は伸張は、収縮状態から拡張状態への伸縮方向ＬＳＴＲＥＴＣＨに沿って５０％を上回る、又は１００％を上回る、又は１５０％を上回る、又は２００％を上回る、又は２５０％を上回る、又は３００％を上回る、又は４００％を上回る、又は５００％を上回る、又は６００％を上回る、又は７００％を上回る、又は８００％を上回る、又は９００％を上回り、１０００％未満である。伸縮とは引き裂かれる等の破損なしに拡張に耐える能力のことで、伸縮が高いほど材料が伸縮される割合が高くなる。図２１について説明したように、伸縮材２０００の伸縮は材料１０００への接合前の弾性化手段１３００の予圧荷重レベルにより設定可能である。
【０１５０】
靴下１０又は使い捨て靴下１０を使用する際に完全な拡張度、つまり完璧な弾力性は必要ではないこともある。よって、拡張度（extensibility）は１００％未満でもよく、拡張度１００％は完璧な弾力性に相当する。本発明によると、好ましい拡張度は１００％〜３０％、又は１００％〜５０％、又は１００％〜７０％である。ここで拡張度１００％とは、材料が完全に元の形状に戻ることを意味する。拡張度０％とは、材料が伸張状態のままであることを意味する。拡張度７０％とは、例えば材料が７０％の拡張でのみ伸張状態から元の形状に戻ることを意味する。このため、材料は拡張後に完璧に元の形状に戻る必要はなく、最初の収縮後に伸張形状のままでもよいが、１００％の拡張度が好ましい。
【０１５１】
図３２Ａ、図３２Ｂに示す靴下１０又は使い捨て靴下１０の裁断パターンは図示したように１つの部分として設計することができる。あるいは、裁断パターンを２つの部分として設計してもよい。ここで、靴下１０、又は使い捨て靴下１０の裁断パターンは、対称軸ＡＳに沿って軸対称でもよく、特に２つの鏡面対称部分からなり、対称軸ＡＳに沿って互いに分離されてもよい（図３２Ａ、図３２Ｂの点線）。このため、靴下１０の裁断パターンは蝶形でもよく、靴下１０が容易に製造された状態において、対称軸ＡＳに沿った裁断パターンの折り曲げ縁は、靴下１０のかかと部４００の脚領域４００ｂに対応し、かかと部４００のかかと領域４００ａの領域、足裏部１００の領域、ならびにつま先部２００の領域の裁断パターンの裁断縁は相互接合される、又は縫い合わされる。一実施形態によると、伸縮材２０００の伸縮方向ＬＳＴＲＥＴＣＨは靴下１０の裁断パターンの対称軸ＡＳに対し垂直に延びてもよい。
【０１５２】
図３３Ａは、本発明の実施形態による収縮状態の靴下１０又は使い捨て靴下１０の概略斜視図を示す。図３３Ｂは、本発明の実施形態による収縮状態の靴下１０、又は使い捨て靴下１０の上面図を示す。図３３Ｃは、本発明の実施形態による伸張状態の靴下１０又は使い捨て靴下１０の概略斜視図を示す。図３２Ａ、図３２Ｂは、関連する裁断パターンを示す。
【０１５３】
図３３Ａ〜図３３Ｃから分かるように、靴下１０は、足裏部１００、つま先部２００、足背部３００の他に、使い捨てブーティ１０の着用時に足１のかかとを覆うかかと部４００を更に含んでもよい。更に、靴下１０は、靴下１０着用時に足首で、又は足首部分、又は足首より下の部分、又は足１の甲の部分で靴下１０を開放可能に固定する足首締付部６００を含んでもよい。このとき、かかと部４００はかかと領域４００ａ、脚領域４００ｂ、ならびに折り返し領域４００ｃを含む。脚領域４００ｂは周知の靴下の靴下脚となる靴下１０の領域を含む。折り返し領域４００ｃは、周知の靴下の靴下折り返し、又は折り返しとなり、靴下１０の上部終結縁Ｋ２の領域に対応する靴下１０の領域を含む。足首締付部６００による靴下１０の固定状態において、靴下１０には少なくとも折り返し開口ＯＢがあり、これを通じて足１に関連する靴下１０の着用者の脚が延びる。更に、靴下１０には、着用時に少なくとも部分的に足首締付部６００により固定可能な足背部３００領域の足背開口ＯＲがある。
【０１５４】
図３３Ａ〜図３３Ｂは、図３２Ａに示す非折り畳み状態の裁断パターンが折り畳まれ、即時使用可能に結合又は接合された状態を示す。図３３Ａ、図３３Ｂは、収縮状態の靴下１０を示す。図３３Ｃは、伸張状態の靴下１０を示す。実施形態によると収縮状態の靴下１０は、かかと部４００の折り返し領域４００ｃの上部終結縁Ｋ２からつま先部２００の頂点Ｓに至る靴下１０の縦方向Ｌａの寸法ａが収縮状態で４０ｃｍ以下、又は３５ｃｍ以下、又は３０ｃｍ以下、又は２５ｃｍ以下、又は２０ｃｍ以下、又は１５ｃｍ以下、１０ｃｍ以下であり、１０ｃｍ以上、又は５ｃｍ以上である。収縮状態の靴下１０の縦方向Ｌａとは、靴下１０の折り返し領域４００ｃの終結縁Ｋ２に対し、又は靴下１０の折り返し領域４００ｃの折り返し開口ＯＢに対し垂直な方向と定められ、収縮した靴下１０の縦方向である。靴下１０の終結縁Ｋ２が靴下１０の収縮状態で直線状の終結縁を形成しない場合、靴下１０の縦方向Ｌａは脚領域４００ｂで靴下の脚に平行な縦方向である。縦方向Ｌａを定義できない場合、又は上記定義に基づき定めることが難しい場合、寸法ａをある方向に沿った靴下１０の寸法と定め、これに沿って収縮状態の靴下１０の寸法が最大になる。但し、収縮状態の靴下１０の縦方向Ｌａは、図１３で縦方向ＬＳとして導入された足１又は足裏部１００の縦方向に対応しない。図３３Ｂに示す靴下１０の場合、この方向ＬＳはむしろ足裏部１００、又は裁断縁区分Ｋ４（図３５Ｂ）に隣接する裁断縁部分と平行に延びる。
【０１５５】
伸張した、特に装着時の靴下１０のつま先部２００の頂点Ｓからかかと部４００の折り返し領域４００ｃの終結縁Ｋ２に至る寸法又は長さは、２５ｃｍ以上、又は３０ｃｍ以上、又は３５ｃｍ以上、又は４０ｃｍ以上、又は４５ｃｍ以上、又は５０ｃｍ以上であり、６０ｃｍ以下であってもよい。特に、収縮状態では靴下１０の縦方向Ｌａに沿った靴下１０の寸法ａは４０ｃｍ以下、又は３５ｃｍ以下、又は３０ｃｍ以下、又は２５ｃｍ以下、又は２０ｃｍ以下、又は１５ｃｍ以下、１０ｃｍ以下であってもよく、かかと部４００を足１のかかとに被せ、足首締付部６００により足首で固定されるように伸縮して伸張状態で着用することができる。
【０１５６】
更に、図３３Ｂ、図３３Ｃの裁断パターンには継ぎ目１３５０を設けてもよく、継ぎ目１３５０は継ぎ目方向に弾性があり、靴下の構成部分１００、２００、３００、４００、５００、５１０、６００、６１０のうち少なくとも２つを相互接合する。特に、弾性継ぎ目１３５０を足裏部１００に形成することができる。このため、弾性継ぎ目１３５０により足裏部１００の２つの部分を相互接合できる。更に、継ぎ目方向に弾性がある継ぎ目１３５０をつま先部２００に形成してもよい。このため、弾性継ぎ目１３５０によりつま先部２００の２つの部分を相互接合できる。更に、弾性継ぎ目１３５０を少なくとも部分的にかかと部４００に形成してもよい。このため、継ぎ目１３５０により少なくとも部分的にかかと部４００の２つの部分を相互接合できる。ここで、継ぎ目方向に弾性がある継ぎ目１３５０はかかと領域４００ａの２つの部分を相互に接合でき、図３２Ａ、図３２Ｂに示すような一枚の裁断パターンの場合、脚領域４００ｂを折り線として一枚に設計可能である。
【０１５７】
好ましい実施形態によると、靴下１０着用時に弾性継ぎ目１３５０は中央で足１に沿ってつま先部２００から足裏部１００を経てかかと部４００へ延びる。実施形態にでは継ぎ目１３５０はＴ継ぎ目又はジグザグ継ぎ目でもよい。ここで、ジグザグ縫い目によりジグザグ継ぎ目を作ることができ、その縫い目長は非弾性継ぎ目の縫い目長よりも長いが、非弾性継ぎ目、例えば超音波溶接継ぎ目を継ぎ目方向に弾性がある継ぎ目１３５０として設けてもよく、その非弾性継ぎ目により予圧下で継ぎ目方向に構成部分を相互接合し、継ぎ目方向に弾性がある継ぎ目のように再び収縮状態で継ぎ目方向に作用し、弾力的に伸縮できるようにする。このため、伸張状態の靴下１０の２つの部分が相互接合され、継ぎ目方向に弾性がある継ぎ目１３５０を形成することできる。これは特に伸縮方向ＬＳＴＲＥＴＣＨが継ぎ目方向に弾性がある継ぎ目１３５０内に垂直に延びない場合に可能である。
【０１５８】
図３３Ｂに示すように、（図３３Ｂ、図３３Ｃに破線として示す）弾性継ぎ目１３５０はＵ字型又はＶ字型であってもよい。更に、かかと部４００の脚領域４００ｂにおいて、裁断パターンの対称軸ＡＳに沿って折り畳まれる（図３２Ａ、図３２Ｂ）裁断パターンの接合領域又は一枚の領域は接合可能である。靴下１０の裁断パターンを二部式に設計する場合、継ぎ目１３５０により継ぎ目方向で裁断縁区分Ｋ３に沿って脚領域４００ｂの２つの構成部分を弾性自在に接合でき、裁断縁区分Ｋ４に沿ってかかと領域４００ａの２つの構成部分と足裏部１００の２つの構成部分を弾力的に相互接合でき、ならびに裁断縁区分Ｋ５に沿って互いにつま先部２００の２つの構成部分を弾力的に相互接合できる（図３５Ｂ、図３５Ｃも参照）。
【０１５９】
足背開口ＯＲは継ぎ目１３５０により接合される領域に接合され、かかと部４００からつま先部２００に延びてもよい。足背開口ＯＲには靴下１０の着用を容易にする機能がある。特に、足背開口ＯＲは、長手方向に延びるスリットでもよく、着用時であって靴下１０が固定されていない状態において、足１の足首部分のかかと部４００の折り返し領域４００ｃの終結縁Ｋ２から、つま先部２００に、特に、靴下１０のつま先部２００と足背部３００の間の移行領域の足背開口端Ｅに、特に、つま先部２００と足背部３００の間の移行領域の継ぎ目１３５０の端部に延びる。足背開口ＯＲを、靴下１０の切り抜き、切り口として形成してもよい。靴下１０の折り返し領域４００ｃの終結縁Ｋ２から、特に、足首締付部６００からつま先部２００に、特に、つま先部２００と足背部３００の間の移行領域の足背開口端Ｅに、特に、つま先部２００と足背部３００の間の移行領域の継ぎ目１３５０の端部に至る収縮した靴下１０の足背開口ＯＲの寸法又は長さは、５ｃｍ以上、又は１０ｃｍ以上、又は１５ｃｍ以上であってもよい。足背開口ＯＲの長さ又は寸法は、収縮状態の靴下１０の縦方向Ｌａの寸法の少なくとも２０％、又は少なくとも３０％、又は少なくとも４０％、又は少なくとも５０％、又は少なくとも６０％、又は少なくとも７０％、又は少なくとも８０％、最大で９０％、又は最大で８０％であってもよい。例えば着用時の場合、継ぎ目１３５０が中央で足裏部１００の縦方向ＬＳに沿って靴下１０を横切り延びる場合、靴下１０のつま先部２００と足背部３００の間の移行領域の足背開口端Ｅが、継ぎ目１３５０の端部と一致してもよい。
【０１６０】
このため、靴下１０の装着時に患者又は使用者の足１のつま先部分を、収縮状態において、つま先部分を受け止める靴下１０のつま先部２００に挿入することができ、足裏部１００とかかと部４００の反対側に足背開口ＯＲがあるため、靴下１０の足裏部３００、かかと部４００、足背部３００がつま先部分以外の足１の残余部分を取り囲む又は受け取ることはない。靴下１０を完璧に付けるために使用者、又は靴下を装着する者、例えば介護者は、かかと部４００の折り返し領域４００ｃで靴下１０を掴み、靴下１０を引っ張り足１のかかとに被せる、好ましくは足首まで被せる。ここで、靴下１０の伸縮材２０００が弾性化手段１３００（図の簡略化のため参照符号１３００のみを図３３Ａ〜図３３Ｃで示す）に沿って伸縮される。よって、靴下１０を使用者の足１に調節すると同時に安定して固定することができる。
【０１６１】
図３３Ｂに示すように、弾性化手段１３００は、かかと部４００の脚領域４００ｂにおいて収縮状態の靴下１０の縦方向Ｌａに対し垂直に延びることができる。一実施形態によると、靴下１０の伸縮材の好ましい方向は一方向のみ、つまり１つの伸縮方向ＬＳＴＲＥＴＣＨだけでもよく、これは特に弾性化手段１３００の配置方向に対応する。使用者は方向Ｌａに沿って上向きに靴下１０を引っ張りかかとに被せる。靴下１０を付ける間に弾性化手段１３００はここでは伸縮方向に対し垂直に延びるため、靴下１０を付ける間に伸縮方向の伸張は脚領域４００ｂでは発生しないため、便利な着用が可能になる。
【０１６２】
実施形態によると、着用時に靴下１０の足首締付部６００での角度は８０°以上、特に８５°以上、及び／又は１００°以下、特に９５°以下、及び／又は好ましくは約９０°であってもよい。よって、圧力が確実に使用者の足に垂直に伝達される。
【０１６３】
弾性継ぎ目１３５０の領域では、弾性化手段１３００は、弾性継ぎ目１３５０に対して傾斜して延びることが好ましい。弾性継ぎ目１３５０は、Ｕ字型又はＶ字型の形状で、弾性化手段１３００は、かかと部４００のかかと領域４００ａ及び／又は足裏部１００の領域において、鋭角で弾性継ぎ目１３５０に交差してもよい。弾性化手段１３００は、更にかかと部４００及び／又は足裏部１００から足背部３００及び／又はつま先部２００に延びてもよい。弾性化手段１３００は、つま先部２００において、鋭角で弾性継ぎ目１３５０に交差してもよい。これは特に足裏部１００で弾性継ぎ目１３５０に交差する弾性化手段１３００に該当する。更に、弾性化手段１３００は、足背部３００領域において鋭角で足背開口ＯＲを交差してもよい。これは特に足裏部１００及び／又はかかと部４００のかかと領域４００ａで弾性継ぎ目１３５０に交差する弾性化手段１３００に該当する。このため、足裏部１００領域又はかかと部４００のかかと領域４００ａならびに足裏部１００に隣接する靴下１０の裁断縁部分Ｋ４の弾性継ぎ目１３５０と伸縮方向ＬＳＴＲＥＴＣＨとの角度は、継ぎ目１３５０の継ぎ目方向に対する直交から１０°〜８０°、又は１０°〜７０°、又は１０°〜６０°、又は１０°〜５０°の範囲でずれてもよい。このため、伸縮材２０００の伸縮方向ＬＳＴＲＥＴＣＨは、伸縮材２０００の収縮状態において、かかと部４００の折り返し領域４００ｃの終結縁Ｋ２に対し略平行に延び、裁断縁部分Ｋ４の法線方向からずれて１０°〜８０°の範囲の角度で足裏部１００に隣接する裁断縁部分Ｋ４に交差してもよい。ここで伸縮方向ＬＳＴＲＥＴＣＨは更に、かかと部４００の脚領域４００ｂに隣接する裁断縁部分Ｋ３を略垂直に交差してもよい。
【０１６４】
よって、靴下１０は縦長方向ＬＳに沿ってのみではなく幅方向と高さ方向において使用者の足１に調節する。このため、伸縮方向ＬＳＴＲＥＴＣＨは、継ぎ目１３５０領域の足裏部１００領域で弾性継ぎ目１３５０に対し垂直ではなく斜めに延びるため、Ｖ字型で継ぎ目１３５０に延びる弾性化手段１３００により継ぎ目１３５０の継ぎ目方向の弾性が生成される。よって、足１の縦方向で足裏部１００の弾性継ぎ目１３５０の継ぎ目方向に沿ったかかと部４００及び／又は足裏部１００のかかと領域４００ａが弾性であるため、靴下１０は様々に異なる大きさの足に対し対応サイズに伸張自在に調節する足裏部１００を設けることができ有利であるが、かかと領域４００の脚領域４００ｂでは伸縮方向ＬＳＴＲＥＴＣＨは収縮状態の靴下１０の縦方向Ｌａに対し垂直に延びてもよいため、かかと部４００の折り返し領域４００ｃの靴下折り返しに沿って弾性がある。足首締付部６００の締付方向は折り返し開口ＯＢの開口面に対し平行であるため、弾性化手段１３００により弾性折り返し領域４００ｂで固定状態の足首締付部６００が予圧される。
【０１６５】
図３４Ａ〜図３４Ｄは、本発明の別の実施形態による靴下１０の概略斜視図を示す。図３４Ａ〜図３４Ｄに示す靴下１０は、図３３Ａ〜図３３Ｃに示す靴下１０に略対応する。更に、足首締付部６００を陰影領域として示す。図３４Ａは収縮状態の靴下１０を示す。図３４Ｂは、足首締付部６００が開口した伸張状態の靴下１０を示す。図３４Ｃは足首締付部６００が固定された伸張状態の靴下１０を示し、靴下１０の固定状態で足首締付部６００がどのように足背部３００に支えられているのかを示す図と比較して、足背部３００と反対側の足背締付部６００の部分を破線として示す。
【０１６６】
図３４Ｄは、足首締付部６００が固定された伸張状態の靴下１０を示す。実施形態では足背開口ＯＲがつま先部２００から足首締付部６００に延びる。よって、靴下１０は足裏部１００、袋形状のつま先部２００、足背部３００、かかと部４００を含み、足裏部１００の反対側で足１の縦方向に沿って、つまり足１の甲に沿って延びる足背開口ＯＲにより足背部３００は第１部の足方向左部３００ａと第２部の足方向右部３００ｂに分離され、足背開口ＯＲは少なくとも部分的に足首締付部６００により固定可能である。つまり靴下１０は、足背部３００側、つまり足１の上側と脚の前側で折り返し領域４００ｃからつま先部２００に開口する靴下スリットである。次に靴下１０の足背開口ＯＲが足首締付部６００により固定される。ここで、足首締付部６００は開口Ｏの全長を横切り延びることができ、又は上記のとおり足背部３００の領域で足背開口ＯＲを固定するために足背締付部５００を追加挿入できる。
【０１６７】
足首締付部６００に本書に記載の接着要素又は接着剤を含めてもよい。例えば、足首締付部６００に高張力マジックテープ（登録商標）、接着剤、粘着材を含め、下にある材料と接合可能としてもよい。最適フィットとなるまで繰り返し調節できる例えばおむつ用と同様のファスナーが可能で、特に足首締付部６００にボンディング要素５１５、６１５と同じ材料を含め、及び／又はボンディング要素５１５、６１５と同じ特性を持たせることができる。
【０１６８】
あるいは、又は更に、着用時に足１の足首にフィットするフラップ（図３５Ｂ、図３５Ｃの破線を参照）を足背部３００領域に足首締付部６００として設けてもよい。着用時に靴下１０を足首に固定するためにフラップを足首周囲で足背部３００の一方側から足背部３００の他方側へと配置してもよい。
【０１６９】
図３５Ａ〜図３５Ｃは、折り畳み状態の靴下１０の裁断パターンを示す。図３５Ａでは足裏部、つま先部、足背部３００、かかと部４００、足首締付部６００、開口Ｏに対応する裁断パターンの領域を陰影領域として示す。
【０１７０】
図３５Ｂは、各構成部分に対応する裁断縁間の角度を示す。ここでは特に内角を示すが、外角は図２２Ｃ、図２３Ｃ、図２４Ｃ、図２５Ｃ、図２６Ｃに示される。
【０１７１】
足背開口ＯＲに隣接する靴下１０の裁断縁部分Ｋ１と、靴下１０の上記終結縁Ｋ２である折り返し開口ＯＢに隣接する靴下１０の裁断縁部分Ｋ２との間に足首締付部６００領域の裁断縁角部分を設けてもよく、その第１角度β１の範囲は８０°〜１３０°、又は８５°〜１２０°、又は８５°〜１１０°、又は８５°〜９５°である。第１角度β１は特に８０°以上、特に８５°以上、及び／又は１００°以下、特に９５°以下及び／又は好ましくは約９０°であってもよい。
【０１７２】
折り返し開口ＯＢに隣接する靴下１０の裁断縁部分Ｋ２、つまり靴下１０の終結縁Ｋ２と、かかと部４００の脚領域４００ｂに隣接する靴下１０の裁断縁部分Ｋ３との間の第２角度β２を裁断縁角区分に含めてもよい。第２角度β２は８０°以上、及び／又は１００°以下であってもよい。かかと部４００の脚領域４００ｂに隣接する靴下１０の裁断縁部分Ｋ３と、かかと部４００のかかと領域４００ａならびに足裏部１００に隣接する靴下１０の裁断縁部分Ｋ４との間の第３角度β３を裁断縁角部分に含めてもよい。第３角度β３は１００°以上、及び／又は１４０°以下であってもよい。上記のとおり、一枚の裁断パターンの場合、裁断縁部分Ｋ３を折り曲げ縁Ｋ３として形成してもよい。足裏部１００に隣接する靴下１０の裁断縁部分Ｋ４と、つま先部２００に隣接する裁断縁部分Ｋ５との間の第４角度β４を裁断縁角部分に含めてもよい。第４角度β４は５０°以上、及び／又は９０°以下であってもよい。一実施形態によると、伸縮材２０００の伸縮方向ＬＳＴＲＥＴＣＨは終結縁Ｋ２と平行に延び、ならびに裁断縁部分Ｋ３又は折り曲げ縁Ｋ３に対し垂直に延びてもよい。
【０１７３】
図３５Ｃは、各構成部分に対応する裁断縁間の半径を示す。ここで、半径０ｍｍは湾曲による丸みを帯びない２つの裁断縁間の角度を意味する。角度が丸みを帯びた湾曲が大きいほど対応半径仕様が大きくなる。半径仕様をミリメートルで示す。第１角度β１は半径Ｒ１で丸みを帯びてもよい。第１半径Ｒ１は０ｍｍ以上、及び／又は１００ｍｍ以下であってもよい。第２角度β２は丸みを帯びない方が好ましい。第３角度β２は第３半径Ｒ３で丸みを帯びてもよい。第３半径Ｒ３は３０ｍｍ以上、及び／又は１００ｍｍ以下であってもよい。第４角度β４は第３半径Ｒ４で丸みを帯びてもよい。第３半径Ｒ４は５ｍｍ以上、及び／又は５０ｍｍ以下であってもよい。
【０１７４】
本発明によると、使い捨てブーティ１０が好ましいが、再使用可能なブーティ、包帯靴下、靴下又はブーティ、使い捨て靴下、包帯靴、ブーティ、靴の場合、本発明によると、上記使い捨てブーティ１０の全構成ならびに記載の製造方法の全工程も好ましく、本出願の開示に含まれる。特に、使い捨てブーティを本開示範囲内の靴下とみなすことができ、逆に靴下を使い捨てブーティとみなすことができる。ここで、本発明による使い捨てブーティ又は靴下はかかとから足首に、又は足首を超えて延びることができる。
【図１】
2020029642.tif 000003
【図２Ａ】
2020029642.tif 000004
【図２Ｂ】
2020029642.tif 000005
【図３Ａ】
2020029642.tif 000006
【図３Ｂ】
2020029642.tif 000007
【図４Ａ】
2020029642.tif 000008
【図４Ｂ】
2020029642.tif 000009
【図５Ａ】
2020029642.tif 000010
【図５Ｂ】
2020029642.tif 000011
【図６Ａ】
2020029642.tif 000012
【図６Ｂ】
2020029642.tif 000013
【図７Ａ】
2020029642.tif 000014
【図７Ｂ】
2020029642.tif 000015
【図８】
2020029642.tif 000016
【図９】
2020029642.tif 000017
【図１０Ａ】
2020029642.tif 000018
【図１０Ｂ】
2020029642.tif 000019
【図１０Ｃ】
2020029642.tif 000020
【図１１Ａ】
2020029642.tif 000021
【図１１Ｂ】
2020029642.tif 000022
【図１２】
2020029642.tif 000023
【図１３】
2020029642.tif 000024
【図１４】
2020029642.tif 000025
【図１５】
2020029642.tif 000026
【図１６】
2020029642.tif 000027
【図１７Ａ】
2020029642.tif 000028
【図１７Ｂ】
2020029642.tif 000029
【図１８】
2020029642.tif 000030
【図１９】
2020029642.tif 000031
【図２０】
2020029642.tif 000032
【図２１】
2020029642.tif 000033
【図２２Ａ】
2020029642.tif 000034
【図２２Ｂ】
2020029642.tif 000035
【図２２Ｃ】
2020029642.tif 000036
【図２３Ａ】
2020029642.tif 000037
【図２３Ｂ】
2020029642.tif 000038
【図２３Ｃ】
2020029642.tif 000039
【図２４Ａ】
2020029642.tif 000040
【図２４Ｂ】
2020029642.tif 000041
【図２４Ｃ】
2020029642.tif 000042
【図２５Ａ】
2020029642.tif 000043
【図２５Ｂ】
2020029642.tif 000044
【図２５Ｃ】
2020029642.tif 000045
【図２６Ａ】
2020029642.tif 000046
【図２６Ｂ】
2020029642.tif 000047
【図２６Ｃ】
2020029642.tif 000048
【図２７Ａ】
2020029642.tif 000049
【図２７Ｂ】
2020029642.tif 000050
【図２７Ｃ】
2020029642.tif 000051
【図２８Ａ】
2020029642.tif 000052
【図２８Ｂ】
2020029642.tif 000053
【図２９Ａ】
2020029642.tif 000054
【図２９Ｂ】
2020029642.tif 000055
【図３０Ａ】
2020029642.tif 000056
【図３０Ｂ】
2020029642.tif 000057
【図３１Ａ】
2020029642.tif 000058
【図３１Ｂ】
2020029642.tif 000059
【図３２Ａ】
2020029642.tif 000060
【図３２Ｂ】
2020029642.tif 000061
【図３３Ａ】
2020029642.tif 000062
【図３３Ｂ】
2020029642.tif 000063
【図３３Ｃ】
2020029642.tif 000064
【図３４Ａ】
2020029642.tif 000065
【図３４Ｂ】
2020029642.tif 000066
【図３４Ｃ】
2020029642.tif 000067
【図３４Ｄ】
2020029642.tif 000068
【図３５Ａ】
2020029642.tif 000069
【図３５Ｂ】
2020029642.tif 000070
【図３５Ｃ】
2020029642.tif 000071